(57)【特許請求の範囲】
【請求項１】
音声信号を出力するオーディオアンプ回路から１または複数のスピーカに至る接続路に接続して、
上記１または複数のスピーカから放射される音の音質を改変する音質改変素子であって、
径方向の寸法が５ｍｍ以上、上記径方向に直交する長さ方向の寸法が５ｍｍ以上の単一の金属ブロックからなる素子ブロック部と、
上記素子ブロック部の上記長さ方向の一端部に設けられた１つの第１素子端子部、及び、上記素子ブロック部の上記長さ方向の他端部に設けられた１つの第２素子端子部のうち、少なくとも上記第１素子端子部と、を有する
素子本体を備える
音質改変素子。
【請求項２】
請求項１に記載の音質改変素子であって、
前記素子ブロック部は、
純アルミニウムからなる
音質改変素子。
【請求項３】
請求項１に記載の音質改変素子であって、
前記素子ブロック部は、
無酸素銅からなる
音質改変素子。
【請求項４】
請求項１に記載の音質改変素子であって、
前記素子ブロック部は、
純アルミニウムまたは無酸素銅からなり、
前記素子ブロック部の表面全体を覆う金属メッキ層を有する
音質改変素子。
【請求項５】
請求項４に記載の音質改変素子であって、
前記金属メッキ層は、耐酸化性の金属メッキ層である
音質改変素子。
【請求項６】
請求項４または請求項５に記載の音質改変素子であって、
前記金属メッキ層は、ニッケルメッキ層である
音質改変素子。
【請求項７】
請求項４または請求項５に記載の音質改変素子であって、
前記金属メッキ層は、ニッケルメッキ層及びこれを覆う金メッキ層である
音質改変素子。
【請求項８】
請求項１〜請求項７のいずれか１項に記載の音質改変素子であって、
前記素子ブロック部の表面上に、または、前記金属メッキ層上に、防振層を備える
音質改変素子。
【請求項９】
請求項１〜請求項８のいずれか１項に記載の音質改変素子であって、
前記素子本体は、
前記素子ブロック部に前記第２素子端子部を有さず、前記第１素子端子部を有する
音質改変素子。
【請求項１０】
請求項１〜請求項８のいずれか１項に記載の音質改変素子であって、
前記素子本体は、
前記素子ブロック部に前記第１素子端子部及び前記第２素子端子部を有する
音質改変素子。
【請求項１１】
１又は複数の請求項９に記載の音質改変素子と、
前記オーディオアンプ回路と、
前記１または複数のスピーカを含むスピーカシステムと、を備え、
上記１又は複数の音質改変素子の前記第１素子端子部が、上記オーディオアンプ回路のアンプ出力端子から上記スピーカシステムのスピーカ入力端子に至る伝送路内の接続部位に接続された
オーディオシステム。
【請求項１２】
１又は複数の請求項１０に記載の音質改変素子と、
前記オーディオアンプ回路と、
前記１または複数のスピーカを含むスピーカシステムと、を備え、
上記１又は複数の音質改変素子の前記第１素子端子部及び前記第２素子端子部が、上記オーディオアンプ回路のアンプ出力端子から上記スピーカシステムのスピーカ入力端子に至る伝送路内の同一の接続部位に接続された
オーディオシステム。
【請求項１３】
互いに直列に接続した複数の請求項１０に記載の音質改変素子と、
前記オーディオアンプ回路と、
前記１または複数のスピーカを含むスピーカシステムと、を備え、
上記互いに直列に接続した複数の音質改変素子のうち、未接続の前記第１素子端子部及び前記第２素子端子部が、上記オーディオアンプ回路のアンプ出力端子から上記スピーカシステムのスピーカ入力端子に至る伝送路内の同一の接続部位に接続された
オーディオシステム。
【請求項１４】
１又は互いに直列に接続した複数の請求項１０に記載の音質改変素子と、
前記オーディオアンプ回路と、
前記１または複数のスピーカを含むスピーカシステムと、を備え、
上記１又は互いに直列に接続した複数の音質改変素子が、未接続の前記第１素子端子部及び前記第２素子端子部を用いて、上記オーディオアンプ回路のアンプ出力端子から上記スピーカシステムのスピーカ入力端子に至る伝送路内において直列に接続された、
オーディオシステム。
【請求項１５】
１又は複数の請求項９または請求項１０に記載の音質改変素子と、
アンプ出力端子を有する前記オーディオアンプ回路と、を備え、
上記１又は複数の音質改変素子の前記第１素子端子部が、上記オーディオアンプ回路から上記アンプ出力端子に至る出力路内の接続部位に接続された、
上記１又は複数の音質改変素子の上記第１素子端子部及び前記第２素子端子部が、上記オーディオアンプ回路から上記アンプ出力端子に至る出力路内の同一の接続部位に接続された、または、
上記オーディオアンプ回路から上記アンプ出力端子に至る出力路を有し、１又は互いに直列に接続した上記複数の音質改変素子が、未接続の上記第１素子端子部及び上記第２素子端子部を用いて、上記出力路内において直列に接続された、
音質改変素子付きオーディオアンプ装置。
【請求項１６】
１又は複数の請求項９または請求項１０に記載の音質改変素子と、
スピーカ入力端子を有するスピーカシステムと、を備え、
上記１又は複数の音質改変素子の前記第１素子端子部が、上記スピーカシステムの上記スピーカ入力端子から前記１又は複数のスピーカに至る入力路内の接続部位に接続された、
上記１又は複数の音質改変素子の上記第１素子端子部及び前記第２素子端子部が、上記スピーカシステムの上記スピーカ入力端子から前記１又は複数のスピーカに至る入力路内の同一の接続部位に接続された、または、
上記スピーカ入力端子から前記１または複数のスピーカに至る入力路を有し、１又は互いに直列に接続した上記複数の音質改変素子が、未接続の上記第１素子端子部及び上記第２素子端子部を用いて、上記入力路内において直列に接続された、
音質改変素子付きスピーカシステム。
【発明の詳細な説明】
【技術分野】
【０００１】
本発明は、オーディオアンプ回路が出力する音声信号（電気信号）をスピーカケーブルなどの接続路を介してスピーカで再生して音を放射するオーディオシステムに使用して、再生される音の音質を改変する音質改変素子、及びこの音質改変素子付きのオーディオアンプ装置、あるいは、音質改変素子付きのスピーカシステムに関する。
【背景技術】
【０００２】
一般に、オーディオアンプ回路とスピーカシステム（１または複数のスピーカを含むスピーカシステム）とをスピーカケーブルで接続して、入力された音楽等のアナログあるいはデジタルの電気信号をオーディオアンプ回路で増幅し、このオーディオアンプ回路から出力した音声信号（電気信号）をスピーカシステムで音声として再生するステレオオーディオシステム、５．１ｃｈサラウンドシステムなどが知られている。【０００３】
このようなステレオオーディオシステムなどについては、音楽愛好家を中心に、再生される音楽（楽曲）をより良い音で聴きたいとの要望があり、高音が伸びる、低音が響くなど、再生される音の音質を改変（改善）すべく、高価なオーディオアンプ装置、スピーカシステム、スピーカケーブルなどを用いる場合があるほか、再生される音の音質改変（音質の改善）のため、様々な機器や手法の提案がなされている（例えば、特許文献１〜３参照）。
【先行技術文献】
【特許文献】
【０００４】
【特許文献１】特開２００７−８１８３１号公報
【特許文献２】特開２００５−１４３０９３号公報
【特許文献３】特開２００１−３４２７３号公報
【発明の概要】
【発明が解決しようとする課題】
【０００５】
本発明は、かかる要望に鑑みてなされたものであって、オーディオアンプ回路の出力する音声信号を接続路を通じて１または複数のスピーカで再生するオーディオシステムにおいて、スピーカから放射される音楽（楽曲）等の音の音質を改変できる音質改変素子、これを用いたオーディオシステム、音質改変素子付きのオーディオアンプ装置、及び、音質改変素子付きのスピーカシステムを提供するものである。
【課題を解決するための手段】
【０００６】
（第１項）
その一態様は、音声信号を出力するオーディオアンプ回路から１または複数のスピーカに至る接続路に接続して、上記１または複数のスピーカから放射される音の音質を改変する音質改変素子であって、径方向の寸法が５ｍｍ以上、上記径方向に直交する長さ方向の寸法が５ｍｍ以上の単一の金属ブロックからなる素子ブロック部と、上記素子ブロック部の上記長さ方向の一端部に設けられた１つの第１素子端子部、及び、上記素子ブロック部の上記長さ方向の他端部に設けられた１つの第２素子端子部のうち、少なくとも上記第１素子端子部と、を有する素子本体を備える音質改変素子である。具体的には、例えば、音声信号を出力するオーディオアンプ回路のアンプ出力端子、１または複数のスピーカを含むスピーカシステムのスピーカ入力端子、及び、上記アンプ出力端子と上記スピーカ入力端子との間を接続するスピーカケーブルのうち、上記アンプ出力端子に、上記スピーカ入力端子に、上記スピーカケーブルに、上記アンプ出力端子及び上記スピーカケーブルに、または上記スピーカケーブル及び上記スピーカ入力端子に接続して、上記スピーカシステムから放射される音の音質を改変する音質改変素子であって、径方向の寸法が５ｍｍ以上、上記径方向に直交する長さ方向の寸法が５ｍｍ以上の単一の金属ブロックからなる素子ブロック部と、上記素子ブロック部の上記長さ方向の一端部に設けられた１つの第１素子端子部、及び、上記素子ブロック部の上記長さ方向の他端部に設けられた１つの第２素子端子部のうち、少なくとも上記第１素子端子部と、を有する素子本体を備える音質改変素子であるのが好ましい。【０００７】
本発明の音質改変素子は、音声信号を出力するオーディオアンプ回路（アンプ）にスピーカケーブルなどの接続路を介して接続したスピーカから放射される音の音質を、音質改変素子を用いない場合に比して改変するものであり、本発明の音質改変素子は、単一の金属ブロックからなる素子ブロック部と、１つの第１素子端子部と、を有する素子本体を備える。あるいは、本発明の音質改変素子は、単一の金属ブロックからなる素子ブロック部と、１つの第１素子端子部と、１つの第２素子端子部と、を有する素子本体を備える。【０００８】
この音質改変素子は、オーディオシステムに用いると、具体的には例えば、オーディオアンプ回路のアンプ出力端子、１つのスピーカまたは複数のスピーカを含むスピーカシステムのスピーカ入力端子、及び、アンプ出力端子とスピーカ入力端子との間を接続するスピーカケーブルのうち、アンプ出力端子に、スピーカ入力端子に、スピーカケーブルに、アンプ出力端子及びスピーカケーブルに、またはスピーカケーブルとスピーカ入力端子に接続すると、スピーカシステムから放射される音の音質を改変することができる。即ち、この音質改変素子を適用したオーディオシステムでは、これを用いていないオーディオシステムに比して、スピーカシステムから放射される音（スピーカシステムを通じて再生される楽曲や歌唱音声などの音）のうち、素子ブロック部の寸法に応じた、中高音域や低音域などの音について、各楽器や音声の一音一音がくっきりとした強調された音にできるなど、スピーカシステムで再生される音（楽曲等）の音質を改変することができる。【０００９】
即ち、発明者は、単一の金属ブロックからなる素子ブロック部とこの素子ブロック部の一端部に設けた第１素子端子部（第２素子端子部を有さず第１素子端子部のみ）とを有する素子本体を備える極めて簡単な構造の音質改変素子を用意する。そして、この音質改変素子の第１素子端子部を、例えば、オーディオアンプ回路のアンプ出力端子とスピーカシステムのスピーカ入力端子とをスピーカケーブルを介して接続するオーディオシステムにおける、アンプ出力端子に導通接続する、スピーカ入力端子に導通接続する、あるいはスピーカケーブル（その途中部分）に導通接続すると、スピーカシステムのスピーカから放射される音の音質を改変できることを見出した。このように接続した音質改変素子によって音質を改変できるメカニズムの詳細は不明である。しかし、接続部位（アンプ出力端子、スピーカ入力端子、あるいはスピーカケーブルの途中部分など）に音質改変素子が導通接続されたことにより、オーディオアンプ回路から出力された音声信号の一部が、接続部位で音質改変素子に向けて分岐して流れる。このため、音質改変素子を用いない場合に比して、スピーカ入力端子を通じてスピーカシステムに入力される音声信号（電気信号）が変化し、スピーカシステムで再生される音の音質が改変されたと考えられる。【００１０】
なお、音質改変素子の第１素子端子部をアンプ出力端子等へ接続する接続手法としては、素子ブロック部から延出する第１素子端子部を先開型（Ｕ字型）や丸形（Ｏ字型）などの端子形状としておき、アンプ出力端子等に直接接続する手法や、第１素子端子部に一端部を導通接続した第１接続ケーブルの他端部をアンプ出力端子等に接続する手法が挙げられる。【００１１】
また、発明者は、単一の金属ブロックからなる素子ブロック部とこの素子ブロック部の一端部に設けた第１素子端子部と素子ブロック部の他端部に設けた第２素子端子部とを有する素子本体を備える極めて簡単な構造の音質改変素子を用意する。そして、この音質改変素子の第１素子端子部及び第２素子端子部の両者を、例えば、オーディオアンプ回路のアンプ出力端子とスピーカシステムのスピーカ入力端子とをスピーカケーブルを介して接続するオーディオシステムにおける、同じアンプ出力端子に導通接続する、同じスピーカ入力端子に導通接続する、あるいは同じスピーカケーブル（その同じ途中部分）に導通接続すると、スピーカシステムから放射される音（楽曲等）の音質を改変できることも見出した。このように接続した音質改変素子によって音質を改変できるメカニズムの詳細も不明である。しかし、接続部位（アンプ出力端子、スピーカ入力端子、あるいはスピーカケーブルの途中部分など）に、この音質改変素子が接続されている。これにより、オーディオアンプ回路のアンプ出力端子から出力された音声信号の一部が、接続部位で音質改変素子に向けて分岐して流れ、第１素子端子部、素子ブロック部、第２素子端子部の順に通る経路（及びこの逆の経路）でループ状に流れた後に再び接続部位に戻る。これにより、音質改変素子を用いない場合に比して、スピーカ入力端子を通じてスピーカシステムに入力される音声信号が変化し、スピーカシステムで再生された音の音質が改変されたと考えられる。【００１２】
なお、第１素子端子部及び第２素子端子部のアンプ出力端子等への接続手法としては、素子ブロック部から延出する第１素子端子部あるいは第２素子端子部を先開型（Ｕ字型）や丸形（Ｏ字型）などの端子形状としておき、この一方の素子端子部をアンプ出力端子等の接続部位に直接接続する一方、素子ブロック部の残る素子端子部に接続ケーブルの一端部を接続し、接続ケーブルの他端部を同じ接続部位に接続する手法が挙げられる。また、第１素子端子部に一端部を導通接続した第１接続ケーブルの他端部、及び、第２素子端子部に一端部を導通接続した第２接続ケーブルの他端部を、それぞれ同じアンプ出力端子等の接続部位に接続する手法も挙げられる。この場合において、第１素子端子部に接続する第１接続ケーブルと、第２素子端子部とを結ぶ第２接続ケーブルとを、同じ長さにすると、音質改変素子による音質改変の効果をより得ることができる。【００１３】
さらに、発明者は、単一の金属ブロックからなる素子ブロック部とこの素子ブロック部の一端部に設けた第１素子端子部と素子ブロック部の他端部に設けた第２素子端子部とを有する素子本体を備える極めて簡単な構造の音質改変素子を用意する。そして例えば、オーディオアンプ回路のアンプ出力端子とスピーカシステムのスピーカ入力端子とをスピーカケーブルを介して接続するオーディオシステムにおける、アンプ出力端子から、スピーカケーブルを通じて、スピーカ入力端子に至る音声信号（電気信号）の伝送路内に、この音質改変素子を直列に挿入することで、スピーカシステムから放射される音の音質を改変できることをも見出した。この音質改変素子の接続形態としては、例えば、オーディオアンプ回路のアンプ出力端子に音質改変素子の第１素子端子部を接続する一方、音質改変素子の第２素子端子部を（通常はオーディオアンプ回路のアンプ出力端子と接続する）スピーカケーブルのアンプ側端部に接続するパターンが挙げられる。また、（通常はスピーカシステムのスピーカ入力端子と接続する）スピーカケーブルのスピーカ側端部に音質改変素子の第１素子端子部を接続する一方、音質改変素子の第２素子端子部をスピーカシステムのスピーカ入力端子に接続するパターンも挙げられる。さらには、スピーカケーブルをアンプ側の第１スピーカケーブルとスピーカ側の第２スピーカケーブルの２つに分け、音質改変素子の第１素子端子部を第１スピーカケーブルのスピーカ側端部に接続する一方、音質改変素子の第２素子端子部を第２スピーカケーブルのアンプ側端部に接続するパターンも挙げられる。このように接続した音質改変素子によって音質を改変できるメカニズムの詳細も不明である。しかし、オーディオアンプ回路のアンプ出力端子からスピーカケーブルを介してスピーカシステムのスピーカ入力端子に至る、音声信号（電気信号）の伝送経路の途中に、音質改変素子が直列に接続されている。これにより、音質改変素子を用いない場合に比して、スピーカに入力される音声信号が変化し、スピーカで再生される音の音質が改変されたと考えられる。【００１４】
なお、第１素子端子部及び第２素子端子部のアンプ出力端子等への接続手法としては、素子ブロック部から延出する第１素子端子部及び第２素子端子部を先開型（Ｕ字型）や丸形（Ｏ字型）などの端子形状としておき、これらを直接アンプ出力端子やスピーカケーブルの端部等に接続する手法や、第１素子端子部に一端部を導通接続した第１接続ケーブルの他端部、及び、第２素子端子部に一端部を導通接続した第２接続ケーブルの他端部を、それぞれアンプ出力端子やスピーカケーブルの端部等に接続する手法も挙げられる。
また、オーディオアンプ回路から１または複数のスピーカに至る接続路は、オーディオアンプ回路から出力された音声信号が、スピーカに至るまでに進む経路である。この接続路は、例えば、オーディオアンプ回路からアンプ出力端子までの出力路、アンプ出力端子からスピーカシステムのスピーカ入力端子に至る伝送路、および、スピーカ入力端子から１または複数のスピーカに至る入力路から構成されていると考えることができる。【００１５】
なお、本書では、音域の名称として、重低音域（１６〜４０Ｈｚ）、低音域（４０〜１６０Ｈｚ）、中低音域（１６０〜３２０Ｈｚ）、中音域（３２０〜２６００Ｈｚ）、中高音域（２６００〜５０００Ｈｚ）、高音域（５０００Ｈｚ〜１０ｋＨｚ）、超高音域（１０ｋＨｚ〜）を使用することとする（http://peanuts2.sakura.ne.jp/omotya/oto01.html参照）。
【００１６】
この音質改変素子では、素子ブロック部の径方向寸法の大きさは、概ね、一音一音がくっきりとして強調される音質改変の効果が現れる音の高さの範囲（音域）と、効果の程度とに影響する。即ち、素子ブロック部の径方向寸法が５〜１５ｍｍφ程度の比較的小径の音質改変素子では、スピーカシステムから再生される音楽（楽曲）等のうち、音声やピアノの音など、中音域（３２０〜２６００Ｈｚ）から中高音域（２６００〜５０００Ｈｚ）における一音一音がくっきりとして強調されるが、重低音域（１６〜４０Ｈｚ）あるいは低音域（４０〜１６０Ｈｚ）については中音域、中高音域に比して音質改変の効果の程度が相対的に低い。【００１７】
しかし、例えば素子ブロック部の径方向寸法が１５〜８０ｍｍφの比較的大径の音質改変素子では、音質改変の効果が現れる音域が低音側に拡がり、中音域、中高音域のみならず中低音域（１６０〜３２０Ｈｚ）さらには低音域、重低音域においても一音一音がくっきりとして強調されると共に、音質改変の効果の程度も増大する。さらに、例えば素子ブロック部の径方向寸法が８０ｍｍφ以上のさらに大径の音質改変素子では、音質改変の効果が現れる音域が低音側に十分に拡がり、中音域、中高音域のみならず低音域、重低音域においても一音一音がくっきりとして強調されると共に、音質改変の効果の程度もさらに増大する。但し、素子ブロック部の径方向寸法を２００ｍｍφ超としても、音質改変素子の体格が大きく、重量が重くなる一方で、音質改変の効果は飽和する（頭打ちとなる）傾向にある。したがって、素子ブロック部の径方向寸法は３００ｍｍφ以下、好ましくは２００ｍｍφ程度とすると良い。【００１８】
一方、素子ブロック部の長さ方向寸法は、概ね、音質改変の程度に影響する。即ち、素子ブロック部の長さ方向寸法が、５ｍｍ以上の範囲において大きくなるほど、径方向寸法で制限される音域において、一音一音がくっきりとして強調される音質改変の程度（音質改変の効果）が大きくなる（より強調される）。例えば、素子ブロック部の径方向寸法を５〜１５ｍｍφとした場合において、長さ方向寸法が５ｍｍを超えて大きくなるほど、中音域あるいは中高音域の音が一音一音くっきりとして強調される音質改変の効果が大きくなる（より強調される）。即ち、長さ方向寸法を５ｍｍ以上とすると良く、さらに、３０ｍｍ以上とすると良い。一方、音質改変素子の体格、重量を考慮し、２００ｍｍ以下とすると良い。また、素子ブロック部の径方向寸法を１５〜８０ｍｍφとした場合において、長さ方向寸法が５ｍｍを超えて大きくなるほど、中音域、中高音域のみならず中低音域、低音域、重低音域においても一音一音がくっきりとして強調される音質改変の効果が大きくなる。即ち、長さ方向寸法を５ｍｍ以上とすると良く、さらに、１０ｍｍ以上とすると良い。一方、音質改変素子の体格、重量を考慮し、５０ｍｍ以下とすると良い。さらに、素子ブロック部の径方向寸法を８０〜４００ｍｍφとした場合において、長さ方向寸法が５ｍｍを超えて大きくなるほど、中音域、中高音域のみならず中低音域、低音域、重低音域においても一音一音がくっきりとして強調される音質改変の効果がさらに大きくなる。即ち、長さ方向寸法を５ｍｍ以上とすると良く、さらに、１０ｍｍ以上とすると良い。一方、音質改変素子の体格、重量を考慮し、３０ｍｍ以下とすると良い。【００１９】
音質改変素子の素子ブロック部は、単一の金属ブロックからなる。素子ブロック部の材質としては、無酸素銅（ＪＩＳ：Ｃ１０２０（Ｃｕ９９．９６％以上)，Ｃ１０１１（Ｃｕ９９．９９％以上）など）、純アルミニウム（ＪＩＳ：Ａ１０７０（Ａｌ９９．７０％以上），Ａ１０８０（Ａｌ９９．８０％以上），Ａ１０８５（Ａｌ９９．８５％以上），Ａ１１００（Ａｌ９９．００％以上），ＩＮ９９（Ａｌ９９．９９％以上）など）、アルミニウム合金（ＪＩＳ：Ａ３００３，Ａ５０５２など）、ステンレス（ＪＩＳ：ＳＵＳ３０４，ＳＵＳ３１０Ｓ，ＳＵＳ４３０など）、黄銅（ＪＩＳ：Ｃ２６００，Ｃ３５６０など）が挙げられる。なお、腐食防止や酸化膜形成抑制のため、あるいは特性向上のため、素子ブロック部に金属メッキを施すこともできる。また、腐食防止や酸化膜形成抑制のため、素子ブロック部に、あるいは素子ブロック部の金属メッキ層上に、エナメルなどの樹脂やガラスからなる絶縁保護層をコーティングすることもできる。さらに、音質改変素子への外部からの振動の影響を抑制するため、素子ブロック部に、あるいは素子ブロック部の金属メッキ層上に、振動伝達を抑制する防振層を設けることもできる。この防振層の材質によっては、この防振層を絶縁保護層と兼用することもできる。また、素子ブロック部の形態としては、長さ方向に延びる柱状、例えば円柱状、四角柱状、三角柱状、六角柱状、楕円柱状などが挙げられる。これらには、軸方向の寸法よりも径方向の寸法が大きい板状、例えば、円板状、四角板状、六角板状も含まれる。特に、径方向に等方的な円柱状（円板状）とするのが好ましい。なお、素子ブロック部が径方向に等方的でない場合、素子ブロック部の径方向寸法は、軸線から全周に亘り測定して得た平均半径の２倍とする。【００２０】
素子ブロック部に設ける第１素子端子部は、あるいは第１素子端子部及び第２素子端子部は、アンプ出力端子、スピーカ入力端子、スピーカケーブルあるいは第１接続ケーブル、第２接続ケーブルの端部（素線の束）や端部に形成した圧着端子などの端子部材と結合して、これらと素子ブロック部とを電気的に接続する部位である。第１素子端子部及び第２素子端子部としては、例えば、素子ブロック部から長さ方向に突出する雄ネジ部が挙げられる。また、素子ブロック部に長さ方向に凹設した雌ネジ部も挙げられる。アンプ出力端子、スピーカ入力端子に直接接続できるように、素子ブロック部から突出する先開型（Ｕ字型）端子や丸形（Ｏ字型）端子の形状としても良い。また、素子ブロック部の一端部あるいは他端部から円筒状に突出する環状凸部としても良い。この環状凸部は、その内側の凹部に接続ケーブルの端部（素線の束）を挿入した上で環状凸部を押しつぶして、素線の束を押しつぶされた環状凸部に圧着導通させて用いる。また、素子ブロック部の一端部あるいは他端部から突出する部位を、バナナプラグやＹラグ、ギボシ端子の形状とすることもできる。【００２１】
また、第１素子端子部から延びる第１接続ケーブルや第２素子端子部から延びる第２接続ケーブルは、音質改変素子の第１素子端子部や第２素子端子部を、アンプ出力端子などに導通接続するに足る長さであれば良く、５０ｃｍ以下とすると良く、更に好ましくは、３０ｃｍ以下とすると良い。【００２２】
この音質改変素子を適用するオーディオシステムとしては、例えば、概ね２０ｋＨｚ以下の周波数帯域からなる音声信号を出力するオーディオアンプ回路を収容したオーディオアンプ装置と、１または複数のスピーカシステムとをそれぞれスピーカケーブルで接続したものが挙げられる。また、この音質改変素子を４０ｋＨｚを超える周波数帯域の音声信号に対応する、オーディオアンプ回路と１または複数のスピーカシステムとをそれぞれスピーカケーブルで接続したハイレゾリューションオーディオシステムに適用することもできる。なお、ハイレゾリューションオーディオシステムとは、従前のＣＤ規格（ＰＣＭ方式：量子化16bit/サンプリング周波数44.1kHz）を超える品位のデジタル音源（例えば、ＰＣＭ方式：量子化24bit/サンプリング周波数96kHz）の音声信号を再生できる特性を有するオーディオシステムを指す。これらのオーディオシステムでは、オーディオアンプ回路の一対のアンプ出力端子（＋端子（赤色）と−端子（黒色））とスピーカシステムの一対のスピーカ入力端子（＋端子（赤色）と−端子（黒色））とを、一対のスピーカケーブルでそれぞれ接続する。そこで、一対または複数対の音質改変素子を用い、一対のアンプ出力端子、一対のスピーカ入力端子、一対のスピーカケーブルなどに、それぞれ同数の音質改変素子を接続すると良い。なお、音質改変の効果は減少するが、１または複数の音質改変素子を、一対のアンプ出力端子のうちの一方にのみ接続する（例えば、＋端子のみに接続する）、一対のスピーカ入力端子のうちの一方にのみ接続する（例えば−端子のみに接続する）など、片側のみに接続しても良い。また、下記するステレオのオーディオシステムにおいては、ＬチャンネルとＲチャンネルで音質改変素子を均等に用いると良い。但し、敢えて、ＬチャンネルとＲチャンネルとで用いる音質改変素子の数や種類を異ならせるなど不均等にすることもできる。この場合には、音質改変素子を均等に用いた場合に比して、リスナの知覚する音像定位に影響を与えること、例えば、定位される音像の位置をずらすことなどができる。下記するマルチチャンネルのオーディオシステムでも同様である。【００２３】
オーディオシステムのうちオーディオアンプ装置には、モノラル用、ステレオ用あるいは５．１ｃｈサラウンド用などのマルチチャンネル用のオーディオアンプ装置が含まれる。例えば、ステレオ用のオーディオアンプ装置では、一般に、ＲチャンネルとＬチャンネルに対応する一対のオーディオアンプ回路を筐体内に収容し、筐体の壁部に、片チャンネルにつき、＋端子（赤色）と−端子（黒色）とからなる一対のアンプ出力端子を設け、オーディオアンプ回路から一対のアンプ出力端子までを一対の出力路で接続する。【００２４】
また、オーディオシステムに用いるスピーカシステムとしては、単一のスピーカ（フルレンジスピーカなど）からなるスピーカシステムのほか、ウーファー、スコーカー、ツィーターなど複数のスピーカ（スピーカユニット）と、これらの前段に設けられ各スピーカに接続するネットワーク回路基板（ローパスフィルタ、ハイパスフィルタなどのネットワーク回路を搭載した回路基板）とからなるマルチウェイスピーカシステムも挙げられる。また、スピーカシステムとしては、１つのスピーカを、あるいは複数のスピーカ及びネットワーク回路基板を、単一のスピーカボックス（エンクロージャ）に収容したスピーカシステムのほか、ネットワーク回路基板に接続した複数のスピーカをそれぞれスピーカボックスに収容したもの、車載用オーディオシステムのように、スピーカボックスを用いず、ネットワーク回路基板に接続した複数のスピーカを車体の各所に取り付けたスピーカシステムも挙げられる。なお、スピーカシステムのスピーカ入力端子は、一般に２つ（一対）である。例えば、Ｒチャンネル用あるいはＬチャンネル用のスピーカシステムでは、それぞれに、＋端子（赤色）と−端子（黒色）とからなる一対のスピーカ入力端子が設けられ、これらから１又は複数のスピーカに至る一対の入力路が設けられている。【００２５】
また、上述のようなスピーカを駆動するオーディオアンプ回路を含まないパッシブ型のスピーカシステムのほか、１つの筐体内にオーディオアンプ回路と１又は複数のスピーカとこれらを接続するスピーカケーブルとを有し、有線あるいは無線で接続したマイクや別途のアナログ／デジタル音声信号源から入力された音声信号を、音声として再生するアクティブ型のスピーカシステムに、音質改変素子を適用することもできる。さらには、マイク部、ラジオチューナ部、テレビチューナ部、音声信号記録媒体（レコード，カセットテープ，ＣＤ，ＭＤ，ＤＶＤ，ブルーレイディスク（ＢＤ），ＵＳＢメモリ，ＳＤカード、ハードディスクなど）に記録された音声信号を再生する音声信号再生部など、音声信号を得る音声信号取得部と、取得した音声信号を増幅するオーディオアンプ部と、増幅された音声信号を音声として再生するスピーカ部とが、１つの筐体内に収容された、スピーカ一体型のプレイヤーに適用することもできる。このようなプレイヤーの例としては、電子メガホン、ポータブルラジオカセットＣＤプレイヤー、ポータブルＣＤラジオプレイヤーなどが挙げられる。【００２６】
（第２項）
上述の音質改変素子であって、前記素子ブロック部は、純アルミニウムからなる音質改変素子とすると良い。【００２７】
（第３項）
あるいは、第１項に記載の音質改変素子であって、前記素子ブロック部は、無酸素銅からなる音質改変素子とすると良い。【００２８】
同じ音楽（楽曲等）を再生した場合でも、素子ブロック部をなす金属の材質によって、音質改変の効果が異なり、スピーカシステムから再生、放射される音の音質が異なることが判ってきた。例えば、素子ブロック部の径方向寸法が１０ｍｍφで長さ方向寸法が４２ｍｍの音質改変素子の場合、アルミニウム合金（例えばＡ５０５２など）を用いた場合には、純アルミニウム（例えばＡ１０７０など）及び無酸素銅（例えばＣ１０２０など）を用いた場合に比して、音質改変の効果（中音域あるいは中高音域の音が一音一音くっきりとして強調される効果）は同程度であるが、中高音域での音の伸びがやや劣る傾向がある。またステンレス（例えばＳＵＳ３０４など）を用いた場合には、純アルミニウム（例えばＡ１０７０など）及び無酸素銅（たとえばＣ１０２０など）を用いた場合に比して、音質改変の効果（中音域あるいは中高音域の音が一音一音くっきりとして強調される効果）がやや劣るほか、中高音域での音が硬い感じになる傾向があることが判ってきた。これに対し、上述の音質改変素子では、素子ブロック部を純アルミニウムあるいは無酸素銅で構成している。このため、素子ブロック部を他の材質、例えば、アルミニウム合金、ステンレスなどで構成した場合に比して、中高音域での音の伸びが良好で、柔らかい音質となる。なお、素子ブロック部を無酸素銅で構成した場合に比して、純アルミニウムで構成した場合の方が、やや特性が良好となる傾向がある。【００２９】
純アルミニウムからなる素子ブロック部の表面には、酸化アルミニウムの薄層が自然に形成されるのでそのまま用いることができる。そのほか、陽極酸化処理（いわゆるアルマイト処理）により酸化皮膜を形成しても良い。さらに、絶縁性のエナメル層などの樹脂層、ガラス層など、素子ブロック部を保護するほか、他との導通を防止する絶縁保護層を設けることもできる。また、無酸素銅からなる素子ブロック部表面に、絶縁性のエナメル層などの樹脂層、ガラス層など、素子ブロック部（無酸素銅）の酸化を抑制して保護するほか、他との導通を防止する絶縁保護層を設けることもできる。エナメル層などの樹脂層としては、ポリビニルホルマール，ポリウレタン，ポリアミドイミド，ポリエステル，ナイロン，アクリルなどからなる層が挙げられる。【００３０】
（第４項）
あるいは、第１項に記載の音質改変素子であって、前記素子ブロック部は、純アルミニウムまたは無酸素銅からなり、前記素子ブロック部の表面全体を覆う金属メッキ層を有する音質改変素子とすると良い。【００３１】
素子ブロック部に金属メッキ層を形成することにより、金属メッキ層を設けなかった場合に比して、さらに音質を改変することができる。【００３２】
素子ブロック部に設ける金属メッキ層としては、銀メッキ層、スズメッキ層、ニッケルメッキ層、ニッケル−金メッキ層、及び、ニッケル−クロムメッキ層、亜鉛メッキクロメート処理（ユニクロメッキ）層などが挙げられる。なお、金属メッキ層上に、更に絶縁性のエナメル層などの樹脂層、ガラス層など、金属メッキ層や素子ブロック部の酸化を抑制する層を設けることもできる。【００３３】
（第５項）
あるいは第４項に記載の音質改変素子であって、前記金属メッキ層は、耐酸化性の金属メッキ層である音質改変素子とすると良い。【００３４】
この音質改変素子では、金属メッキ層を耐酸化性の金属からなるものとすることにより、耐酸化性の金属メッキ層を設けなかった場合に比して、素子ブロック部及び金属メッキ層自身の酸化を抑制し、音質改変素子による音質改変の効果を長期に亘り維持することができる。【００３５】
（第６項）
第４項あるいは第５項に記載の音質改変素子であって、前記金属メッキ層は、ニッケルメッキ層である音質改変素子とすると良い。【００３６】
この音質改変素子では、金属メッキ層としてニッケルメッキ層を設けるので、素子ブロック部のみならず金属メッキ層の耐酸化性が向上するほか、金属メッキ層を設けない音質改変素子に比しても、重低音域及び低音域と中音域及び中高音域とも一音一音がくっきりとし、重低音域及び低音域と中音域及び中高音域とのバランスも取れた音にできる。【００３７】
（第７項）
第４項あるいは第５項に記載の音質改変素子であって、前記金属メッキ層は、ニッケルメッキ層及びこれを覆う金メッキ層である音質改変素子とすると良い。【００３８】
この音質改変素子では、金属メッキ層としてニッケルメッキ層及びこれを覆う金メッキ層を設けるので、素子ブロック部のみならず金属メッキ層の耐酸化性も向上する。このほか、金属メッキ層を設けない音質改変素子に比しても、重低音域及び低音域と、中音域及び中高音域とも一音一音がくっきりとし、重低音域及び低音域と中音域及び中高音域とのバランスも取れた音となる。音質も電解ニッケルメッキ層のみを形成した音質改変素子を用いた場合に近いが、重低音域及び低音域と中音域及び中高音域ともさらに強調されたものにできる。【００３９】
（第８項）
第４項あるいは第５項に記載の音質改善素子であって、前記金属メッキ層は、ニッケルメッキ層及びこれを覆うクロムメッキ層である音質改変素子とするのも好ましい。【００４０】
この音質改変素子では、金属メッキ層として、ニッケルメッキ層及びこれを覆うクロムメッキ層を設けるので、素子ブロック部のみならず金属メッキ層の耐酸化性も向上するほか、金属メッキ層を設けない音質改変素子に比しても、重低音域及び低音域と中音域及び中高音域とも一音一音がくっきりとし、重低音域及び低音域と中音域及び中高音域とのバランスも取れた音となる。音質も電解ニッケルメッキ層を形成した音質改変素子を用いた場合に近いが、重低音域及び低音域の音がさらに強調される一方、中音域及び中高音域の音は劣る傾向にある。【００４１】
（第９項）
第４項あるいは第５項に記載の音質改善素子であって、前記金属メッキ層は、スズメッキ層である音質改変素子とするのも好ましい。【００４２】
この音質改変素子では、金属メッキ層として、スズニッケルメッキ層を設けるので、素子ブロック部のみならず金属メッキ層の耐酸化性も向上するほか、金属メッキ層を設けない音質改変素子に比しても、重低音域及び低音域と中音域及び中高音域とも一音一音がくっきりとし、重低音域及び低音域と中音域及び中高音域とのバランスも取れた音となる。音質としては、電解ニッケルメッキ層のみを形成した音質改変素子を用いた場合に比して、重低音域及び低音域と中音域及び中高音域とも柔らかい音に聞こえる傾向にある。【００４３】
（第１０項）
第４項に記載の音質改変素子であって、前記金属メッキ層は、銀メッキ層である音質改変素子とするのも好ましい。【００４４】
この音質改変素子では、金属メッキ層を銀メッキ層とすることにより、金属メッキ層を設けない音質改変素子に比して、重低音域及び低音域と中音域及び中高音域とも一音一音がくっきりとし、重低音域及び低音域と中音域及び中高音域とのバランスも取れた音となる。また、電解ニッケルメッキ層を形成した音質改変素子を用いた場合に比して、中音域及び中高音域の音の強調の程度は劣るが、重低音域及び低音域の音は強調されて聞こえる。音質としては、電解ニッケルメッキ層を形成した音質改変素子を用いた場合に比して、重低音域及び低音域で柔らかい音に聞こえる傾向にある。
なお、銀メッキ層の酸化防止のため、エナメル層などの樹脂層、ガラス層を設けると良い。【００４５】
（第１１項）
第１項〜第７項、第８項〜第１０項のいずれか１項に記載の音質改変素子であって、前記素子ブロック部の表面上に、または、前記金属メッキ層上に、防振層を備える音質改変素子とすると良い。【００４６】
この音質改変素子は、素子ブロック部の表面上に、または、金属メッキ層上に、防振層を備えている。このため、スピーカシステムで再生される音をよりクリアにできる。外部から素子ブロック部に伝わる振動の影響を防止できるためと解される。
【００４７】
防振層としては、振動伝達を抑制する層であり、素子ブロック部の表面上または金属メッキ層上に、塗布された防振塗料などからなる防振塗料層や、金属メッキ層上などに貼り付けられた防振性材料からなる防振シートが挙げられる。防振層として、防振塗料層と防振シートを併用することもできる。防振層は、素子ブロック部の表面上または金属メッキ層上に形成するほか、素子ブロック部に接続した接続ケーブルの素子側端部や止めナット、接続ケーブル上にも形成すると良い。ここで、防振塗料としては、アスファルト系、エポキシ系、フタル酸系、エマルジョン系などのビヒクルに、珪砂、石膏、繊維、炭酸カルシウムなどの充填材を多量に含むものが挙げられる。例えばエマルジョン系防振塗料として、ノックスドール３１００（AUSON社製）などが挙げられる。また、防振シートとしては、独立気泡あるいは半独立半連続気泡を含むゴム発泡シートが挙げられる。例えば、エプトシーラー（日東電工製）、レジェトレックス（日東電工製）が挙げられる。
【００４８】
（第１２項）
第１項〜第７項、第８項〜第１０項、第１１項のいずれか１項に記載の音質改変素子であって、前記素子本体は、前記素子ブロック部に前記第２素子端子部を有さず、前記第１素子端子部を有する音質改変素子とすると良い。【００４９】
この形態の音質改変素子は、第１素子端子部及び第２素子端子部のうち第１素子端子部のみを素子ブロック部に有している。この音質改変素子は、例えば、オーディオアンプ回路のアンプ出力端子、スピーカシステムのスピーカ入力端子、及び、アンプ出力端子とスピーカ入力端子との間を接続するスピーカケーブルのうち、アンプ出力端子に、スピーカ入力端子に、または、スピーカケーブルの途中部分に、第１素子端子部を直接に導通接続する、あるいは、第１素子端子部に一端部を接続した第１接続ケーブルの他端部を接続することにより、スピーカシステムから放射される音（楽曲等）の音質を改変できる。このため、第２接続端子部をも有する形態の音質改変素子に比して、接続が容易である。【００５０】
（第１３項）
第１項〜第７項、第８項〜第１０項、第１１項のいずれか１項に記載の音質改変素子であって、前記素子本体は、前記素子ブロック部に前記第１素子端子部及び前記第２素子端子部を有する音質改変素子とすると良い。【００５１】
この形態の音質改変素子は、接続路内において接続路に直列に接続する。例えば、アンプ出力端子とスピーカ入力端子との間を接続するスピーカケーブルに直列に接続する。即ち、この音質改変素子の第１素子端子部をアンプ出力端子に第２素子端子部をスピーカケーブルに接続する、第１素子端子部をアンプ側の第１スピーカケーブルに接続し第２素子端子部をスピーカ側の第２スピーカケーブルに接続する、あるいは、第１素子端子部をスピーカケーブルに第２素子端子部をスピーカ入力端子に接続する。これにより、スピーカシステムから放射される音（楽曲等）の音質を改変できる。あるいは、この形態の音質改変素子は、第１素子端子部及び第２素子端子部の両者を、接続路内の同じ接続部位に接続する。例えば、オーディオアンプ回路の同じアンプ出力端子に接続したり、同じスピーカ入力端子に接続したり、またはスピーカケーブルの同じ途中部位に導通接続する。これによっても、スピーカシステムから放射される音（楽曲等）の音質を改変できる。【００５２】
なお、この音質改変素子では、第１素子端子部を直接あるいはこれに一端部を接続した第１接続ケーブルを介して、例えば、アンプ出力端子、スピーカケーブル等に接続する。また、第２素子端子部を直接あるいは一端部をこれに接続した第２接続ケーブルを介して、スピーカケーブル、スピーカ入力端子等に接続する。あるいは、第１素子端子部に一端部を接続した第１接続ケーブルと、第２素子端子部に一端部を接続した第２接続ケーブルの両者を、例えば、同じアンプ出力端子、同じスピーカケーブルの同じ途中部位、あるいは同じスピーカ入力端子に接続して使用する。この場合、第１接続ケーブルと第２接続ケーブルとを同じ長さにすると、音質改変素子による音質改変の効果がより得られ易い。【００５３】
（第１４項）
さらに第１３項に記載の音質改変素子であって、前記第１素子端子部に一端部を導通接続した第１接続ケーブルと、前記第２素子端子部に一端部を導通接続した第２接続ケーブルと、上記第１接続ケーブルの他端部及び上記第２接続ケーブルの他端部を互いに導通しつつ結束した端子部材と、を備える音質改変素子とするのも好ましい。【００５４】
この音質改変素子では、第１接続ケーブルの他端部及び第２接続ケーブルの他端部を互いに導通しつつ結束した端子部材を有しているので、この端子部材をアンプ出力端子に、スピーカケーブルの途中部位に、あるいはスピーカ入力端子に接続することで、これらへの音質改変素子の接続を完了できるので接続容易である。
【００５５】
なお、端子部材としては、これを接続するアンプ出力端子等の形態を考慮して選択すれば良いが、例えば、先開型（Ｕ字型）や丸形（Ｏ字型）の圧着端子を用い、第１接続ケーブルの他端部と第２接続ケーブルの他端部とを圧着により互いに導通しつつ結束保持したものが挙げられる。【００５６】
（第１５項）
１又は複数の第１２項に記載の音質改変素子と、前記オーディオアンプ回路と、前記１または複数のスピーカを含むスピーカシステムと、を備え、上記１又は複数の音質改変素子の前記第１素子端子部が、上記オーディオアンプ回路のアンプ出力端子から上記スピーカシステムのスピーカ入力端子に至る伝送路内の接続部位に接続されたオーディオシステムとすると良い。具体的には、１又は複数の第１２項に記載の音質改変素子と、前記オーディオアンプ回路と、前記１または複数のスピーカを含むスピーカシステムと、上記オーディオアンプ回路のアンプ出力端子と上記スピーカシステムのスピーカ入力端子との間を接続するスピーカケーブルと、を備え、上記１又は複数の音質改変素子の前記第１素子端子部が、上記アンプ出力端子に、上記スピーカ入力端子に、または上記スピーカケーブルの途中部位に接続されたオーディオシステムとすると好ましい。
【００５７】
このオーディオシステムでは、第１素子端子部が、伝送路内の接続部位、具体的には、アンプ出力端子に、スピーカ入力端子に、またはスピーカケーブルの途中部位に接続された音質改変素子を有している。このため、この音質改変素子を適用したオーディオシステムでは、これを用いていないオーディオシステムに比して、スピーカシステムから放射される音のうち、素子ブロック部の寸法に応じ、高音域や低音域などの音について、各楽器の一音一音がくっきりとした強調された音にできるなど、スピーカシステムで再生される音（楽曲等）の音質を改変することができる。伝送路内の接続部位に、複数の音質改変素子の第１素子端子部をそれぞれ接続した場合には、各音質改変素子による音質改変の効果が重畳され、スピーカシステムで再生される音（楽曲等）の音質をより大きく改変することができる。接続する複数の音質改変素子は、素子ブロック部の寸法が同じであっても、互いに異なっていても良い。【００５８】
なお、オーディオシステムとしては、音質改変素子の第１素子端子部を、アンプ出力端子に接続したもの、スピーカ入力端子に接続したもの、またはスピーカケーブルの途中部位に接続したものとすることができる。【００５９】
（第１６項）
１又は複数の第１３項に記載の音質改変素子と、前記オーディオアンプ回路と、前記１または複数のスピーカを含むスピーカシステムと、を備え、上記１又は複数の音質改変素子の前記第１素子端子部及び前記第２素子端子部が、上記オーディオアンプ回路のアンプ出力端子から上記スピーカシステムのスピーカ入力端子に至る伝送路内の同一の接続部位に接続されたオーディオシステムとすると良い。具体的には、１又は複数の第１３項に記載の音質改変素子と、前記オーディオアンプ回路と、前記１または複数のスピーカを含むスピーカシステムと、上記オーディオアンプ回路のアンプ出力端子と上記スピーカシステムのスピーカ入力端子との間を接続するスピーカケーブルと、を備え、上記１又は複数の音質改変素子の前記第１素子端子部及び前記第２素子端子部が、同一の上記アンプ出力端子に、同一の上記スピーカ入力端子に、または上記スピーカケーブルの同一の途中部位に接続されたオーディオシステムとすると好ましい。【００６０】
このオーディオシステムでは、第１素子端子部及び第２素子端子部が、伝送路内の同一の接続部位、具体的には、同一のアンプ出力端子に、同一のスピーカ入力端子に、またはスピーカケーブルの同一の途中部位に接続された音質改変素子を有している。このため、この音質改変素子を適用したオーディオシステムでは、これを用いていないオーディオシステムに比して、スピーカシステムから放射される音のうち、素子ブロック部の寸法に応じ、高音域や低音域などの音について、特に、各楽器の一音一音がくっきりとした強調された音にできるなど、スピーカシステムで再生される音（楽曲等）の音質を改変することができる。なお、伝送路内の同一の接続部位などに、複数の音質改変素子の第１素子端子部及び第２素子端子部をそれぞれ接続した場合には、各音質改変素子による音質改変の効果が重畳され、スピーカシステムで再生される音（楽曲等）の音質をより大きく改変することができる。接続する複数の音質改変素子は、素子ブロック部の寸法が同じであっても、互いに異なっていても良い。【００６１】
（第１７項）
あるいは、互いに直列に接続した複数の第１３項に記載の音質改変素子と、前記オーディオアンプ回路と、前記１または複数のスピーカを含むスピーカシステムと、を備え、上記互いに直列に接続した複数の音質改変素子のうち、未接続の前記第１素子端子部及び前記第２素子端子部が、上記オーディオアンプ回路のアンプ出力端子から上記スピーカシステムのスピーカ入力端子に至る伝送路内の同一の接続部位に接続されたオーディオシステムとすると良い。具体的には、互いに直列に接続した複数の第１３項に記載の音質改変素子と、前記オーディオアンプ回路と、前記１または複数のスピーカを含むスピーカシステムと、上記オーディオアンプ回路のアンプ出力端子と上記スピーカシステムのスピーカ入力端子との間を接続する上記スピーカケーブルと、を備え、上記互いに直列に接続した複数の音質改変素子のうち、未接続の前記第１素子端子部及び前記第２素子端子部が、同一の上記アンプ出力端子に、同一の上記スピーカ入力端子に、または上記スピーカケーブルの同一の途中部位に接続されたオーディオシステムとすると好ましい。【００６２】
このオーディオシステムでは、素子ブロック部の一端部に第１素子端子部を他端部に第２素子端子部を有する音質改変素子を複数用いるに当たり、複数の音質改変素子を互いに直列に接続する、即ち、音質改変素子の第２素子端子部を他の音質改変素子の第１素子端子部と接続させる。そして、直列に接続した一連の複数の音質改変素子のうち、両端に位置する、未接続の第１素子端子部及び第２素子端子部を、スピーカケーブルの同一の途中部位など、伝送路内の同一の接続部位に接続する。このオーディオシステムでは、各音質改変素子による音質改変の効果が重畳され、スピーカシステムで再生される音（楽曲等）の音質をより大きく改変することができる。なお、直列に接続する複数の音質改変素子は、素子ブロック部の寸法が同じであっても、互いに異なっていても良い。【００６３】
（第１８項）
あるいは、１又は複数の第１４項に記載の音質改変素子と、前記オーディオアンプ回路と、前記１または複数のスピーカを含むスピーカシステムと、を備え、上記１又は複数の音質改変素子の前記端子部材が、上記オーディオアンプ回路のアンプ出力端子から上記スピーカシステムのスピーカ入力端子に至る伝送路内の接続部位に接続されたオーディオシステムとすると良い。具体的には、１又は複数の第１４項に記載の音質改変素子と、前記オーディオアンプ回路と、前記１または複数のスピーカを含むスピーカシステムと、上記オーディオアンプ回路のアンプ出力端子と上記スピーカシステムのスピーカ入力端子との間を接続するスピーカケーブルと、を備え、上記１又は複数の音質改変素子の前記端子部材が、前記アンプ出力端子に、前記スピーカ入力端子に、または上記スピーカケーブルの途中部位に接続されたオーディオシステムとすると好ましい。【００６４】
この音質改変素子を適用したオーディオシステムでも、これを用いていないオーディオシステムに比して、スピーカシステムから放射される音のうち、素子ブロック部の寸法に応じ、高音域や低音域などの音について、特に、各楽器の一音一音がくっきりとした強調された音にできるなど、スピーカシステムで再生される音（楽曲等）の音質を改変することができる。なお、スピーカケーブルの途中などの接続部位に、複数の音質改変素子の端子部材をそれぞれ接続した場合には、各音質改変素子による音質改変の効果が重畳され、スピーカシステムで再生される音（楽曲等）の音質をより大きく改変することができる。接続する複数の音質改変素子は、素子ブロック部の寸法が同じであっても、互いに異なっていても良い。【００６５】
（第１９項）
あるいは、１又は互いに直列に接続した複数の第１３項に記載の音質改変素子と、前記オーディオアンプ回路と、前記１または複数のスピーカを含むスピーカシステムと、を備え、上記１又は互いに直列に接続した複数の音質改変素子が、未接続の前記第１素子端子部及び前記第２素子端子部を用いて、上記オーディオアンプ回路のアンプ出力端子から上記スピーカシステムのスピーカ入力端子に至る伝送路内において直列に接続された、オーディオシステムとすると良い。具体的には、１又は互いに直列に接続した複数の第１３項に記載の音質改変素子と、前記オーディオアンプ回路と、前記１または複数のスピーカを含むスピーカシステムと、上記オーディオアンプ回路のアンプ出力端子と上記スピーカシステムのスピーカ入力端子との間を接続するスピーカケーブルと、を備え、上記１又は互いに直列に接続した複数の音質改変素子のうち、未接続の前記第１素子端子部が前記アンプ出力端子に接続され、未接続の前記第２素子端子部が上記スピーカケーブルの上記オーディオアンプ回路側の端部に接続された、上記１又は互いに直列に接続した複数の音質改変素子のうち、未接続の上記第１素子端子部が上記スピーカケーブルの上記スピーカシステム側の端部に接続され、未接続の上記第２素子端子部が上記スピーカシステムの前記スピーカ入力端子に接続された、または、上記スピーカケーブルは上記オーディオアンプ回路側の第１スピーカケーブルと上記スピーカシステム側の第２スピーカケーブルからなり、上記１又は互いに直列に接続した複数の音質改変素子のうち、未接続の上記第１素子端子部が上記第１スピーカケーブルのスピーカ側端部に接続され、未接続の上記第２素子端子部が上記第２スピーカケーブルのアンプ側端部に接続された、オーディオシステムとすると良い。【００６６】
この１又は互いに直列に接続した複数の音質改変素子を適用したオーディオシステムでも、これを用いていないオーディオシステムに比して、スピーカシステムから放射される音のうち、素子ブロック部の寸法に応じ、高音域や低音域などの音について、各楽器の一音一音がくっきりとした強調された音にできるなど、スピーカシステムで再生される音（楽曲等）の音質を改変することができる。なお、互いに直列に接続した複数の音質改変素子を用いた場合には、各音質改変素子による音質改変の効果が重畳され、スピーカシステムで再生される音（楽曲等）の音質をより大きく改変することができる。用いる複数の音質改変素子は、素子ブロック部の寸法が同じであっても、互いに異なっていても良い。【００６７】
（第２０項）
１又は複数の第１２項、第１３項または第１４項に記載の音質改変素子と、アンプ出力端子を有する前記オーディオアンプ回路と、を備え、上記１又は複数の音質改変素子の前記第１素子端子部が、上記オーディオアンプ回路から上記アンプ出力端子に至る出力路内の接続部位に接続された、上記１又は複数の音質改変素子の上記第１素子端子部及び前記第２素子端子部が、上記オーディオアンプ回路から上記アンプ出力端子に至る出力路内の同一の接続部位に接続された、または、上記オーディオアンプ回路から上記アンプ出力端子に至る出力路を有し、１又は互いに直列に接続した上記複数の音質改変素子が、未接続の上記第１素子端子部及び上記第２素子端子部を用いて、上記出力路内において直列に接続された、音質改変素子付きオーディオアンプ装置とすると良い。即ち、１又は複数の第１２項に記載の音質改変素子と、アンプ出力端子を有する前記オーディオアンプ回路と、を備え、１又は複数の上記音質改変素子の前記第１素子端子部が、上記オーディオアンプ回路から上記アンプ出力端子に至る出力路内の接続部位に接続された、音質改変素子付きオーディオアンプ装置とするのが好ましい。あるいは、１又は複数の第１３項に記載の音質改変素子と、アンプ出力端子を有する前記オーディオアンプ回路と、を備え、上記１又は複数の音質改変素子の上記第１素子端子部及び前記第２素子端子部が、上記オーディオアンプ回路から上記アンプ出力端子に至る出力路内の同一の接続部位に接続された、音質改変素子付きオーディオアンプ装置とするのが好ましい。あるいは、１又は複数の第１４項に記載の音質改変素子と、アンプ出力端子を有する前記オーディオアンプ回路と、を備え、上記音質改変素子の前記端子部材が、上記オーディオアンプ回路から上記アンプ出力端子に至る出力路内の接続部位に接続された、音質改変素子付きオーディオアンプ装置とするのが好ましい。あるいは、１又は互いに直列に接続した複数の第１３項に記載の音質改変素子と、アンプ出力端子を有する前記オーディオアンプ回路と、を備え、上記オーディオアンプ回路から上記アンプ出力端子に至る出力路を有し、上記１又は互いに直列に接続した複数の音質改変素子が、未接続の上記第１素子端子部及び上記第２素子端子部を用いて、上記出力路内において直列に接続された、音質改変素子付きオーディオアンプ装置とするのが好ましい。【００６８】
これらの音質改変素子付きオーディオアンプ装置を用いれば、オーディオアンプ回路のアンプ出力端子に、通常通り、スピーカケーブルを介してスピーカシステムのスピーカ入力端子を接続することで、音質改変素子を用いなかった場合に比して、音質改変された音を、スピーカシステムから放射することができる。なお、出力路に複数の音質改変素子をそれぞれ接続した場合には、各音質改変素子による音質改変の効果が重畳され、スピーカシステムで再生される音（楽曲等）の音質をより大きく改変することができる。また、接続する複数の音質改変素子は、素子ブロック部の寸法が同じであっても、互いに異なっていても良い。【００６９】
この音質改変素子付きオーディオアンプ装置では、オーディオアンプ回路から一対のアンプ出力端子（＋端子及び−端子）に至る一対の出力路について、それぞれ、音質改変素子を接続すると良い。例えば、一対（Ｒチャンネル用とＬチャンネル用）のオーディオアンプ回路を備えるステレオ（２ｃｈ）のオーディオアンプ装置では、この一対のオーディオアンプ回路からアンプ出力端子（＋端子（赤色端子）と−端子（黒色端子））に至る出力路が二対設けられるので、この二対（４つ）の出力路に、それぞれ音質改変素子（例えば、１つずつ合計４つ、複数の音質改変素子を１組ずつ合計４組など）を接続すると良い。但し、音質改変の効果は低下するが、対をなすアンプ出力端子のうち、＋端子に至る出力路にのみ音質改変素子（例えば１つずつ合計２つ）を接続しても良い。あるいは、−端子に至る出力路にのみ音質改変素子を接続しても良い。あるいは、リスナの知覚する音像定位に影響を与えるため、例えば、定位される音像の位置をずらすために、敢えて、ＬチャンネルとＲチャンネルとで用いる音質改変素子の数や種類を異ならせるなど不均等にすることもできる。なお、音質改変素子付きアンプ装置は、音質改変素子を、オーディオアンプ回路を包囲するアンプ筐体内に配置する形態とすると良い。【００７０】
（第２１項）
さらに１又は複数の第１２項または第１３項あるいは第１４項に記載の音質改変素子と、スピーカ入力端子を有するスピーカシステムと、を備え、上記１又は複数の音質改変素子の前記第１素子端子部が、上記スピーカシステムの上記スピーカ入力端子から前記１又は複数のスピーカに至る入力路内の接続部位に接続された、上記１又は複数の音質改変素子の上記第１素子端子部及び前記第２素子端子部が、上記スピーカシステムの上記スピーカ入力端子から前記１又は複数のスピーカに至る入力路内の同一の接続部位に接続された、または、上記スピーカ入力端子から前記１または複数のスピーカに至る入力路を有し、１又は互いに直列に接続した上記複数の音質改変素子が、未接続の上記第１素子端子部及び上記第２素子端子部を用いて、上記入力路内において直列に接続された、音質改変素子付きスピーカシステムとすると良い。即ち、１又は複数の第１２項に記載の音質改変素子と、スピーカ入力端子を有するスピーカシステムと、を備え、上記１又は複数の音質改変素子の上記第１素子端子部が、上記スピーカシステムの前記スピーカ入力端子から１又は複数のスピーカに至る入力路内の接続部位に接続された、音質改変素子付きスピーカシステムとすると良い。あるいは、１又は複数の第１３項に記載の音質改変素子と、スピーカ入力端子を有するスピーカシステムと、を備え、上記１又は複数の音質改変素子の上記第１素子端子部及び前記第２素子端子部が、上記スピーカシステムの前記スピーカ入力端子から１又は複数のスピーカに至る入力路内の同一の接続部位に接続された、音質改変素子付きスピーカシステムとすると良い。あるいは、１又は複数の第１４項に記載の音質改変素子と、スピーカ入力端子を有するスピーカシステムと、を備え、上記音質改変素子の前記端子部材が、上記スピーカシステムの上記スピーカ入力端子から前記１または複数のスピーカに至る入力路内の接続部位に接続してなる、音質改変素子付きスピーカシステムとすると良い。あるいは、１又は互いに直列に接続した複数の第１３項に記載の音質改変素子と、スピーカ入力端子を有するスピーカシステムと、を備え、上記スピーカ入力端子から前記１または複数のスピーカに至る入力路を有し、上記１又は互いに直列に接続した複数の音質改変素子が、未接続の上記第１素子端子部及び上記第２素子端子部を用いて、上記入力路内において直列に接続された、音質改変素子付きスピーカシステムとすると良い。
【００７１】
これらの音質改変素子付きスピーカシステムを用いれば、スピーカシステムのスピーカ入力端子に、通常通り、スピーカケーブルを介して、オーディオアンプ回路のアンプ出力端子を接続することで、音質改変素子を用いなかった場合に比して、音質改変された音を、スピーカシステムから放射することができる。なお、入力路に複数の音質改変素子をそれぞれ接続した場合には、各音質改変素子による音質改変の効果が重畳され、スピーカシステムで再生される音（楽曲等）の音質をより大きく改変することができる。また、接続する複数の音質改変素子は、素子ブロック部の寸法が同じであっても、互いに異なっていても良い。【００７２】
１または複数のスピーカを備える１チャンネル分のスピーカシステムは、一般に、スピーカ入力端子が一対（＋端子（赤色端子）と−端子（黒色端子）の合計２つ）設けられる。上述の音質改変素子付きスピーカシステムでは、スピーカシステムの一対のスピーカ入力端子から１つのスピーカまたはネットワーク回路を介して複数のスピーカに至る一対の入力路に、それぞれ音質改変素子（例えば、１つずつ合計２つ、複数の音質改変素子を１組ずつ合計２組など）を接続すると良い。但し、音質改変の効果は低下するが、一対（２つ）のスピーカ入力端子のうち、＋端子から延びる入力路にのみ音質改変素子（例えば、１つ、あるいは１組）を接続しても良い。あるいは、−端子から延びる入力路にのみ音質改変素子を接続しても良い。なお、音質改変素子付きスピーカシステムは、音質改変素子を、スピーカシステムがなすスピーカボックス内に配置する形態とすると良い。
【図面の簡単な説明】
【００７３】
【図１】直列接続タイプの音質改変素子を用いた、実施形態１に係るオーディオシステムの構成を示す説明図である。
【図２Ａ】実施形態１〜３、変形形態７のオーディオシステムに用いる音質改変素子の素子本体、及び実施形態２に用いる音質改変素子の形態を示す説明図である。
【図２Ｂ】実施形態１、変形形態７，１３のオーディオシステムに用いる音質改変素子の形態を示す説明図である。
【図２Ｃ】実施形態３のオーディオシステムに用いる音質改変素子の形態を示す説明図である。
【図３Ａ】直列接続タイプの音質改変素子を用いた、実施形態２に係るオーディオシステムの構成を示す説明図である。
【図３Ｂ】直列接続タイプの音質改変素子を複数用いた変形形態７に係るオーディオシステムの構成を示す説明図である。
【図４】直列接続タイプの音質改変素子を用いた、実施形態３に係るオーディオシステムの構成を示す説明図である。
【図５】一端接続タイプの音質改変素子を用いた、実施形態４に係るオーディオシステムの構成を示す説明図である。
【図６Ａ】実施形態４〜６のオーディオシステムに用いる、一端接続タイプの音質改変素子の素子本体の形態を示す説明図である。
【図６Ｂ】実施形態４〜６、変形形態８，９，１２のオーディオシステムに用いる、一端接続タイプの音質改変素子の形態を示す説明図である。
【図７Ａ】一端接続タイプの音質改変素子を用いた、実施形態５に係るオーディオシステムの構成を示す説明図である。
【図７Ｂ】一端接続タイプの音質改変素子を複数用いた変形形態８に係るオーディオシステムの構成を示す説明図である。
【図７Ｃ】一端接続タイプの音質改変素子を、左右のチャンネルで不均等に用いた変形形態９に係るオーディオシステムの構成を示す説明図である。
【図８】一端接続タイプの音質改変素子を用いた、実施形態６に係るオーディオシステムの構成を示す説明図である。
【図９】ループ接続タイプの音質改変素子を用いた、実施形態７に係るオーディオシステムの構成を示す説明図である。
【図１０Ａ】実施形態７〜１１、変形形態１，４，１０，１１，１３，１４のオーディオシステムに用いるループ接続タイプの音質改変素子の形態を示す説明図である。
【図１０Ｂ】実施形態７〜１１、変形形態１，４，１０，１１，１３，１４のオーディオシステムに用い得る音質改変素子の形態を示す説明図である。
【図１０Ｃ】実施形態７〜１１、変形形態１，４，１０，１１，１３，１４のオーディオシステムに用い得る音質改変素子の形態を示す説明図である。
【図１１Ａ】ループ接続タイプの音質改変素子を用いた、実施形態８に係るオーディオシステムの構成を示す説明図である。
【図１１Ｂ】ループ接続タイプの音質改変素子を複数用いた変形形態１０に係るオーディオシステムの構成を示す説明図である。
【図１１Ｃ】ループ接続タイプの音質改変素子を、左右のチャンネルで不均等に用いた変形形態１１に係るオーディオシステムの構成を示す説明図である。
【図１１Ｄ】直列接続した複数の音質改変素子をループ状にスピーカケーブルに接続した、変形形態１２に係るオーディオシステムの構成を拡大して示す説明図である。
【図１２】ループ接続タイプの音質改変素子を用いた、実施形態９に係るオーディオシステムの構成を示す説明図である。
【図１３Ａ】ループ接続タイプの音質改変素子を用いた、変形形態１に係る音質改変素子付きオーディオアンプ装置、及び、オーディオシステムの構成を示す説明図である。
【図１３Ｂ】ループ接続タイプの音質改変素子を用いた、変形形態１３に係る音質改変素子付きオーディオアンプ装置の構成を示す説明図である。
【図１４】一端接続タイプの音質改変素子を用いた、変形形態２に係る音質改変素子付きオーディオアンプ装置、及び、オーディオシステムの構成を示す説明図である。
【図１５】直列接続タイプの音質改変素子を用いた、変形形態３に係る音質改変素子付きオーディオアンプ装置、及び、オーディオシステムの構成を示す説明図である。
【図１６Ａ】ループ接続タイプの音質改変素子を用いた、変形形態４に係る音質改変素子付きスピーカシステム、及び、オーディオシステムの構成を示す説明図である。
【図１６Ｂ】ループ接続タイプの音質改変素子を用いた、変形形態１４に係る音質改変素子付きスピーカシステム、及び、オーディオシステムの構成を示す説明図である。
【図１７】一端接続タイプの音質改変素子を用いた、変形形態５に係る音質改変素子付きスピーカシステム、及び、オーディオシステムの構成を示す説明図である。
【図１８】直列接続タイプの音質改変素子を用いた、変形形態６に係る音質改変素子付きスピーカシステム、及び、オーディオシステムの構成を示す説明図である。
【図１９】＋端子側にのみ音質改変素子を用いた、実施形態１０に係るオーディオシステムの構成を示す説明図である。
【図２０】−端子側にのみ音質改変素子を用いた、実施形態１１に係るオーディオシステムの構成を示す説明図である。
【図２１】基本形態に係るオーディオシステムの構成を示す説明図である。
【発明を実施するための形態】
【００７４】
まず、以降で説明する音質改変素子１０Ａ等を適用する前のステレオのオーディオシステム（以下、単にシステムともいう）２の基本形態を説明する（図２１参照）。この基本形態のシステム２及びこれに音質改変素子１０Ａ等を適用した実施形態１〜１１，変形形態１〜１４のシステム２０等は、いずれも、ステレオのオーディオアンプ（以下、単にアンプともいう）３０等と、一対（２ヶ）のスピーカシステム４０等と、これらを接続する二対（４本）のスピーカケーブル（以下、単にケーブルともいう）５０Ｐ，５０Ｎ（１５０Ｐ，１５０Ｎ）とを有する。
【００７５】
このうち、アンプ３０は、アンプ筐体３３内に、リスナＬＮがセットした音楽ＣＤ（コンパクトディスク）を駆動し、右チャンネル及び左チャンネルの一対の音声信号を得るＣＤ駆動部３２と、得られた片チャンネル分の音声信号をそれぞれ増幅し、一対のアンプ出力端子３１Ｐ，３１Ｎから音声信号ＳＡを出力するオーディオアンプ回路（以下、単にアンプ回路ともいう）３１を２つ（一対）備えている。アンプ回路３１の一対のアンプ出力端子３１Ｐ，３１Ｎは、外部と接続可能に、アンプ筐体３３に固定されている。
【００７６】
一方、一対のスピーカシステム４０は、それぞれ、スピーカボックス（エンクロージャ）４２内に、１つのスピーカ（フルレンジスピーカ）４１を収容している。このスピーカ４１の端子であるスピーカシステム４０のスピーカ入力端子４０Ｐ，４０Ｎは、外部と接続可能に、スピーカボックス４２に固定されている。そして、アンプ３０の二対のアンプ出力端子３１Ｐ，３１Ｎと、一対のスピーカシステム４０の二対のスピーカ入力端子４０Ｐ，４０Ｎが、二対のケーブル５０Ｐ，５０Ｎ（１５０Ｐ，１５０Ｎ）でそれぞれ接続されることにより、アンプ３０から出力された音声信号ＳＡが、スピーカ４１に音声信号ＳＳ０として入力され、音（音声）ＳＤ０として再生される。
【００７７】
基本形態及び各実施形態及び各変形形態のシステム２，２０等では、アンプ回路３１とスピーカ４１とは、アンプ回路３１からスピーカ４１に至る接続路７０ＰＷ，７０ＮＷで接続されていると考えることができる。アンプ回路３１から出力された音声信号ＳＡは、スピーカ４１に至るまで、この接続路７０ＰＷ，７０ＮＷを進む。基本形態及び各実施形態及び各変形形態のシステム２，２０等において、この接続路７０ＰＷ，７０ＮＷは、アンプ回路３１からアンプ出力端子３１Ｐ，３１Ｎに至る出力路３１ＰＷ，３１ＮＷと、アンプ出力端子３１Ｐ，３１Ｎからスピーカシステム４０等のスピーカ入力端子４０Ｐ，４０Ｎに至る伝送路６０ＰＷ，６０ＮＷと、スピーカ入力端子４０Ｐ，４０Ｎからスピーカ４１に至る入力路４０ＰＷ，４０ＮＷとに分けて考えることができる。下記する実施形態及び変形形態のうち、実施形態１〜１１及び変形形態７〜１２のシステム２０等は、伝送路６０ＰＷ，６０ＮＷ内に音質改変素子１０Ａ等を接続したシステムである。一方、変形形態１〜３，１３のシステム３２０等は、出力路３１ＰＷ，３１ＮＷ内に音質改変素子１０Ａ等を接続したシステムである。また、変形形態４〜６，１４のシステム３２３等は、入力路４０ＰＷ，４０ＮＷ内に音質改変素子１０Ａ等を接続したシステムである。
【００７８】
（直列接続タイプの音質改変素子）
まず、実施形態１〜３，変形形態７で用いる直列接続タイプの音質改変素子１０Ａ，１０Ｂ，１０Ｃについて、図２Ａ，図２Ｂ，図２Ｃを参照して説明する。音質改変素子１０Ａは（図２Ｂ参照）は、素子本体１１と第１接続ケーブル１５からなる。音質改変素子１０Ｂは（図２Ａ参照）は、素子本体１１のみからなる。音質改変素子１０Ｃ（図２Ｃ参照）は、素子本体１１と第２接続ケーブル１６からなる。なお、音質改変素子１０Ｂは、後述する変形形態３，６でも用いる。
【００７９】
これらのうち、素子本体１１（図２Ａ参照）は、単一の金属ブロック（例えば無酸素銅のブロック）からなり、円柱形状の素子ブロック部１２と、この素子ブロック部１２の一方（図中左方）の端面である第１端面１２Ｔ１から突出する雄ネジ状の第１素子端子部１３と、素子ブロック部１２の他方（図中右方）の端面である第２端面１２Ｔ２から突出する雄ネジ状の第２素子端子部１４とを有する。
【００８０】
このうち素子ブロック部１２は、径方向ＤＨ（図中上下方向）の寸法である径Ｄが５ｍｍ以上、径方向ＤＨに直交する長さ方向ＬＨ（図中左右方向）の寸法である長さＬが５ｍｍ以上の円柱形状あるいは円板形状を有している。例えば、径Ｄ＝１０ｍｍ、長さＬ＝４２ｍｍの円柱形状が挙げられる。
【００８１】
なお、後述するように、素子ブロック部１２の径Ｄおよび長さＬの大きさに応じて、音質改変素子１０Ａ等の接続で改変される音域、改変の程度が変化する。
この音質改変素子１０Ａ等として、例えば、素子ブロック部１２が径Ｄ＝１０ｍｍ、長さＬ＝４２ｍｍの円柱形状であるもの用いたシステムでは、これを用いない基本形態のシステム２で得られる音ＳＤ０に比して、スピーカシステム４０から放射される音（ＣＤ駆動部に挿入したＣＤを再生した楽曲や歌唱音声などの音）ＳＤでは、そのうち、比較的高い音域の音について、各楽器や音声の一音一音がくっきりとした強調された音に改変できる。さらに具体的には、音声やピアノの音など、スピーカシステムから再生される音楽（楽曲）等のうち、中音域（３２０〜２６００Ｈｚ）から中高音域（２６００〜５０００Ｈｚ）における一音一音がくっきりとして強調される。音質改変素子１０Ａ等として、素子ブロック部１２の径Ｄを大きくすると、中音域、中高音域のみならず中低音域（１６０〜３２０Ｈｚ）さらには低音域（４０〜１６０Ｈｚ）、重低音域（１６〜４０Ｈｚ）においても一音一音がくっきりとして強調され、音質改変の効果が現れる。また、音質改変素子１０Ａ等として、素子ブロック部１２の長さＬを大きくするほど、径Ｄで制限される音域において、一音一音がくっきりとして強調される音質改変の程度が大きくなる。
【００８２】
第１接続ケーブル１５は、ケーブルの両端（素線の束）にそれぞれＵ型圧着端子を結合して端部１５Ｓ，１５Ｔとしたものであり、素子側端部１５Ｓは、第１素子端子部１３に螺合した止めナット１８により、素子ブロック部１２の第１端面１２Ｔ１に圧接、導通している。第１接続ケーブル１５の長さは、後述するように音質改変素子１０Ａの第１素子端子部１３を、この第１接続ケーブル１５を介してアンプ出力端子３１Ｐ，３１Ｎなどに導通接続するに足る長さであれば良い。具体的には、５０ｃｍ以下とすると良く、更に好ましくは、３０ｃｍ以下とすると良い。本実施形態１では、例えば、３０ｃｍである。また、第２接続ケーブル１６は、ケーブルの両端（素線の束）にＵ型圧着端子を結合して端部１６Ｓ，１６Ｔとしたものであり、素子側端部１６Ｓは、第２素子端子部１４に螺合した止めナット１９により、素子ブロック部１２の第２端面１２Ｔ２に圧接、導通している。第２接続ケーブル１６の長さも、後述するように音質改変素子１０Ｃの第２素子端子部１４を、この第２接続ケーブル１６を介してスピーカ入力端子４０Ｐ，４０Ｎなどに導通接続するに足る長さであれば良い。具体的には、５０ｃｍ以下とすると良く、更に好ましくは、３０ｃｍ以下とすると良い。本実施形態３では、例えば、３０ｃｍである。
【００８３】
なお、素子本体１１では、素子ブロック部１２の長さ方向の両端に、第１，第２端面１２Ｔ１，１２Ｔ２から突出する雄ネジ状の第１，第２素子端子部１３，１４をそれぞれ設けた。しかし、第１，第２端面１２Ｔ１，１２Ｔ２に雌ネジ孔を穿孔して、第１，第２素子端子部としても良い。この場合には、この雌ネジ孔にボルトを螺入して、第１，第２接続ケーブル１５，１６の素子側端部１５Ｓ，１６Ｓを素子ブロック部１２に接続すると良い。また、素子ブロック部１２に、第１端面１２Ｔ１，第２端面１２Ｔ２から突出する、素子ブロック部１２よりも小径で円筒状の環状凸部を設けておき、この環状凸部の内側の凹部に第１，第２接続ケーブル１５，１６の素子側端部（素線の束）１５Ｓ，１６Ｓを挿入した上で環状凸部を押しつぶして、素線の束を押しつぶされた環状凸部と圧着導通させるようにしても良い。
【００８４】
素子本体１１（図２Ａ参照）には、素子ブロック部１２の表面１２Ｓ全体を含む素子本体１１の表面１１Ｓ全体に、金属メッキ層（例えばニッケルメッキ層）１１Ｍを被着することもできる。なお後述するように、金属メッキ層１１Ｍの材質によって、音質改変素子１０Ａ等で改変される音ＳＤの音質が異なる。また、素子ブロック部１２等を保護するため、あるいは不要な導通を防止するため、上述の金属メッキ層１１Ｍを設けることなくあるいは設けると共に、素子ブロック部１２に、素子ブロック部１２と第１接続ケーブル１５の素子側端部１５Ｓと止めナット１８に、あるいは素子ブロック部１２と第２接続ケーブル１６の素子側端部１６Ｓと止めナット１９に、ポリビニルホルマール，ポリウレタンなど樹脂からなるエナメル被膜など絶縁性の被膜からなる絶縁保護層１１Ｃを形成しても良い。音質改変素子１０Ａ等を筐体や保護カバー内に収容して保護しても良い。また、図２Ｂ，図２Ｃでは、素子本体１１の一方に第１接続ケーブル１５あるいは第２接続ケーブル１６を接続した形態の音質改変素子１０Ａ，１０Ｃを示したが、素子本体１１の両側に第１，第２接続ケーブル１５，１６を設けた音質改変素子を用いることもできる。
【００８５】
さらに、図２Ａ〜図２Ｃにおいて二点鎖線で示すように、音質改変素子１０Ａ〜１０Ｃへの外部からの振動の影響を抑制するため、素子ブロック部１２の表面１２Ｓ上に、あるいは、素子ブロック部１２の表面１２Ｓの金属メッキ層１１Ｍ上に、防振層ＳＬを設けておくと良い。これにより、スピーカシステム４０で再生される音ＳＤをよりクリアできる。外部から素子ブロック部１２に伝わる振動の影響によりノイズが含まれるのを防止できるためと解される。音質改変素子１０Ａ〜１０Ｃにおいては、エマルジョン系防振塗料であるノックスドール３１００（AUSON社製）を塗布し乾燥させた皮膜状の防振層ＳＬを設けている。防振層ＳＬは、素子ブロック部１２の表面１２Ｓあるいは金属メッキ層１１Ｍ上のみならず、接続ケーブル１５，１６の素子側端部１５Ｓ，１６Ｓや止めナット１８，１９上にも設けても良い。
【００８６】
＜実施形態１＞
第１の実施の形態を、図１，図２Ｂを参照して説明する。本実施形態１のシステム２０では、図２Ｂに示す音質改変素子１０Ａを用い、前述の基本形態のオーディオシステム２（図２１参照）における接続路７０ＰＷ，７０ＮＷのうち伝送路６０ＰＷ，６０ＮＷ内に、具体的には、アンプ３０とスピーカケーブル５０Ｐ，５０Ｎとの間に、それぞれ音質改変素子１０Ａを直列に挿入する。さらに具体的には、アンプ３０（アンプ回路３１）のアンプ出力端子３１Ｐ，３１Ｎに、それぞれ音質改変素子１０Ａのうち第１接続ケーブル１５の他端部１５Ｔを接続する一方、音質改変素子１０Ａの第２素子端子部１４に、図示しない止めナットを用いて、スピーカケーブル５０Ｐ，５０Ｎのアンプ側端部５０ＰＡ，５０ＮＡを接続する。かくして、音質改変素子１０Ａ（素子本体１１）の第１素子端子部１３がアンプ出力端子３１Ｐ，３１Ｎに接続され、第２素子端子部１４がスピーカケーブル５０Ｐ，５０Ｎのオーディオアンプ回路側の端部５０ＰＡ，５０ＮＡに接続される。
【００８７】
このようにして音質改変素子１０Ａを用いた本実施形態１のシステム２０では、音質改変素子を用いない（即ち基本形態の）システム２（図２１参照）で得られる音ＳＤ０に比して、スピーカシステム４０（スピーカ４１）から放射される音ＳＤの音質を改変することができる。このように接続した音質改変素子１０Ａによって音質を改変できるメカニズムの詳細は不明である。しかし、オーディオアンプ回路３１のアンプ出力端子３１Ｐ，３１Ｎからスピーカケーブル５０Ｐ，５０Ｎを介してスピーカシステム４０のスピーカ入力端子４０Ｐ，４０Ｎに至る、音声信号（電気信号）ＳＡの伝送路６０ＰＷ，６０ＮＷの途中に、音質改変素子１０Ａが直列に接続されている。これにより、音質改変素子１０Ａを用いたシステム２０においてスピーカ４１に入力される音声信号ＳＳが、音質改変素子１０Ａを用いないシステム２の音声信号ＳＳ０とは異なるものとなったため、スピーカシステム４０（スピーカ４１）で再生された音ＳＤの音質が、システム２で得られる音ＳＤ０から改変されたと考えられる。
【００８８】
＜実施形態２＞
次いで、第２の実施の形態を、図３Ａ，図２Ａを参照して説明する。本実施形態２のシステム２１では、図２Ａに示す第１，第２接続ケーブルを有しない音質改変素子１０Ｂを用い、前述の基本形態のシステム２（図２１参照）における伝送路６０ＰＷ，６０ＮＷ内に、具体的には、スピーカケーブル１５０Ｐ，１５０Ｎの途中に、それぞれ音質改変素子１０Ｂを直列に挿入する。さらに具体的には、スピーカケーブル５０Ｐ，５０Ｎに代えて、第１スピーカケーブル１５１Ｐ，１５１Ｎ及び第２スピーカケーブル１５２Ｐ，１５２Ｎからなるスピーカケーブル１５０Ｐ，１５０Ｎを用いる。そして、音質改変素子１０Ｂの第１素子端子部１３に、図示しない止めナットを用いて、第１スピーカケーブル１５１Ｐ，１５１Ｎのスピーカ側端部１５１ＰＳ，１５１ＮＳを接続する。一方、音質改変素子１０Ｂの第２素子端子部１４に、図示しない止めナットを用いて、第２スピーカケーブル１５２Ｐ，１５２Ｎのアンプ側端部１５２ＰＡ，１５２ＮＡを接続する。なお、アンプ３０（アンプ回路３１）のアンプ出力端子３１Ｐ，３１Ｎには、第１スピーカケーブル１５１Ｐ，１５１Ｎのアンプ側端部１５１ＰＡ，１５１ＮＡを接続する。またスピーカシステム４０のスピーカ入力端子４０Ｐ，４０Ｎには、第２スピーカケーブル１５２Ｐ，１５２Ｎのスピーカ側端部１５２ＰＳ，１５２ＮＳを接続する。かくして、音質改変素子１０Ｂ（素子本体１１）の第１素子端子部１３が第１スピーカケーブル１５１Ｐ，１５１Ｎのスピーカ側端部１５１ＰＳ，１５１ＮＳに接続され、第２素子端子部１４が第２スピーカケーブル１５２Ｐ，１５２Ｎのアンプ側端部１５２ＰＡ，１５２ＮＡに接続される。
【００８９】
実施形態１のシステム２０と同様、音質改変素子１０Ｂを用いた本実施形態２のシステム２１でも、音質改変素子を用いない（即ち基本形態の）システム２に比して、音声信号ＳＳを変化させ、スピーカシステム４０から放射される音ＳＤの音質を改変することができる。
【００９０】
＜変形形態７＞
次いで、実施形態２の変形形態である変形形態７のシステム２１ａを、図３Ｂ，図２Ａ，図２Ｂを参照して説明する。上述の実施形態２のシステム２１では、各スピーカケーブル１５０Ｐ，１５０Ｎの途中にそれぞれ１つの音質改変素子１０Ｂを直列に接続した。これに対し、本変形形態７のシステム２１ａでは、各スピーカケーブル１５０Ｐ，１５０Ｎの途中に、直列に接続した複数（変形形態７では２つ）の音質改変素子１０Ａ，１０Ｂを直列に接続した点で異なる。即ち、図２Ａに示す音質改変素子１０Ｂの第２素子端子部１４に、図２Ｂに示す音質改変素子１０Ａの第１接続ケーブル１５の他端部１５Ｔを、図示しない止めナットを用いて接続することで、音質改変素子１０Ｂと音質改変素子１０Ａとを直列に接続している。そして実施形態２と同じく、音質改変素子１０Ｂの未接続の第１素子端子部１３に、図示しない止めナットを用いて、第１スピーカケーブル１５１Ｐ，１５１Ｎのスピーカ側端部１５１ＰＳ，１５１ＮＳを接続している。一方、音質改変素子１０Ａの未接続の第２素子端子部１４に、図示しない止めナットを用いて、第２スピーカケーブル１５２Ｐ，１５２Ｎのアンプ側端部１５２ＰＡ，１５２ＮＡを接続している。
【００９１】
このように複数（本変形形態では２ヶずつ）の音質改変素子１０Ｂ，１０Ａを用いた本変形形態７のシステム２１ａで再生される音ＳＤａは、音質改変素子１０Ｂを１つずつ用いた実施形態２のシステム２１で再生される音ＳＤとも異なるものとなる。即ち、本変形形態７のシステム２１ａでは、複数の音質改変素子１０Ｂ，１０Ａを直列に接続したので、スピーカシステム４０に入力される音声信号ＳＳａには、各音質改変素子による音質改変の効果が重畳されており、スピーカシステム４０で再生される音ＳＤａの音質が、実施形態２における音ＳＤに比しても、より大きく改変される。なお、接続する複数の音質改変素子１０Ｂ，１０Ａは、素子ブロック部１２の寸法を互いに同じとすることもできるし、互いに異なる寸法とすることもできる。素子ブロック１２の寸法が同じである音質改変素子を複数用いた場合には、音質改変の効果が深く生じる。また、例えば素子ブロック１２の径寸法が大／中／小である３つの音質改変素子１０Ｂ等を用いるなど、素子ブロック１２の寸法が異なる複数の音質改変素子を用いた場合には、各々の音質改変素子による音質改変の効果が重なり、広い音域で音質改変の効果が生じる。また、前述した実施形態１及び後述する実施形態３などにおいて、複数の音質改変素子１０Ｂ等を用いた場合にも同様の効果が得られる。
【００９２】
＜実施形態３＞
次いで、第３の実施の形態を、図４，図２Ｃを参照して説明する。本実施形態３のシステム２２では、図２Ｃに示す第２接続ケーブル１６を有する音質改変素子１０Ｃを用い、前述の基本形態のシステム２（図２１参照）における伝送路６０ＰＷ，６０ＮＷ内に、具体的には、スピーカケーブル５０Ｐ，５０Ｎとスピーカシステム４０のスピーカ入力端子４０Ｐ，４０Ｎとの間に、それぞれ音質改変素子１０Ｃを直列に挿入する。さらに具体的には、音質改変素子１０Ｃの第１素子端子部１３に、図示しない止めナットを用いて、スピーカケーブル５０Ｐ，５０Ｎのスピーカ側端部５０ＰＳ，５０ＮＳを接続する。一方、音質改変素子１０Ｃのうち第２接続ケーブル１６の他端部１６Ｔを、スピーカシステム４０のスピーカ入力端子４０Ｐ，４０Ｎに接続する。かくして、音質改変素子１０Ｃ（素子本体１１）の第１素子端子部１３がスピーカケーブル５１Ｐ，５１Ｎのスピーカ側端部５１ＰＳ，５１ＮＳに接続され、第２素子端子部１４がスピーカシステム４０のスピーカ入力端子４０Ｐ，４０Ｎに接続される。
【００９３】
実施形態１，２のシステム２０，２１と同様、音質改変素子１０Ｃを用いた本実施形態３のシステム２２でも、音質改変素子を用いない（即ち基本形態の）システム２に比して、音声信号ＳＳを変化させ、スピーカシステム４０から放射される音ＳＤの音質を改変することができる。
【００９４】
（一端接続タイプの音質改変素子）
次に実施形態４〜６、変形形態８，９で用いる一端接続タイプの音質改変素子１１０について、図６Ａ，図６Ｂを参照して説明する。音質改変素子１１０は（図６Ｂ参照）は、素子本体１１１と第１接続ケーブル１１５からなる。このうち、素子本体１１１（図６Ａ参照）は、単一の金属ブロック（例えば無酸素銅のブロック）からなり、円柱形状の素子ブロック部１１２と、この素子ブロック部１１２の一方（図中左方）の端面である第１端面１１２Ｔ１から突出する雄ネジ状の第１素子端子部１１３とを有する。即ち、前述した音質改変素子１０Ａ等に用いた素子本体１１から第２素子端子部１４をなくした形態である。なお、音質改変素子１１０は、後述する変形形態２，５でも用いる。
【００９５】
素子ブロック部１１２は、径方向ＤＨ（図中上下方向）の寸法である径Ｄが５ｍｍ以上、径方向ＤＨに直交する長さ方向ＬＨ（図中左右方向）の寸法である長さＬが５ｍｍ以上の円柱形状あるいは円板形状を有している。例えば、径Ｄ＝１０ｍｍ、長さＬ＝４２ｍｍの円柱形状が挙げられる。
【００９６】
なお、後述するように、音質改変素子１１０についても、素子ブロック部１１２の径Ｄおよび長さＬの大きさに応じて、音質改変素子１１０の接続で改変される音域、改変の程度が変化する。この音質改変素子１１０として、例えば、素子ブロック部１１２が径Ｄ＝１０ｍｍ、長さＬ＝４２ｍｍの円柱形状であるものを用いたシステムでは、これを用いていない基本形態のシステム２で得られる音ＳＤ０に比して、スピーカシステム４０から放射される音ＳＤでは、そのうち、比較的高い音域の音について、各楽器や音声の一音一音がくっきりとした強調された音に改変できる。さらに具体的には、音声やピアノの音など、スピーカシステムから再生される音楽（楽曲）等のうち、中音域から中高音域における一音一音がくっきりとして強調される。音質改変素子１１０として、素子ブロック部１１２の径Ｄを大きくするほど、中音域、中高音域のみならず中低音域さらには低音域、重低音域で音質改変の効果が大きく現れ、低音域、重低音域においても一音一音がくっきりとして強調され、バランスの良い音となる。また、音質改変素子１１０として、素子ブロック部１１２の長さＬを大きくするほど、径Ｄで制限される音域において、一音一音がくっきりとして強調される音質改変の程度が大きくなる。なお、音質改変素子１０Ｂ等を用いる実施形態１〜３のシステム２０〜２２に比して、音質改変素子１１０を用いる実施形態４〜６のシステム１２０〜１２２では、重低音域あるいは低音域における音質改変の程度が相対的に低い。一方、中音域から中高音域における、音質改変素子による音質改変の効果は、相対的に高い傾向にある。
【００９７】
第１接続ケーブル１１５は、ケーブルの両端（素線の束）にそれぞれＵ型圧着端子を結合して端部１１５Ｓ，１１５Ｔとしたものであり、素子側端部１１５Ｓは、第１素子端子部１１３に螺合した止めナット１８により、素子ブロック部１１２の第１端面１１２Ｔ１に圧接、導通している。第１接続ケーブル１１５の長さは、後述するように音質改変素子１１０の第１素子端子部１１３を、この第１接続ケーブル１１５を介してアンプ出力端子３１Ｐ，３１Ｎなどに導通接続するに足る長さであれば良い。具体的には、５０ｃｍ以下とすると良く、更に好ましくは、３０ｃｍ以下とすると良い。本実施形態４〜６では、例えば、３０ｃｍである。
【００９８】
なお、素子本体１１１では、素子ブロック部１１２の長さ方向ＬＨの一方端に、第１端面１１２Ｔ１から突出する雄ネジ状の第１素子端子部１１３を設けたが、第１端面１１２Ｔ１に雌ネジ孔を穿孔して、第１素子端子部としても良い。この場合には、この雌ネジ孔にボルトを螺入して、第１接続ケーブル１１５の素子側端部１１５Ｓを素子ブロック部１１２に接続すると良い。また、素子ブロック部１１２に、第１端面１１２Ｔ１から突出する、素子ブロック部１１２よりも小径で円筒状の環状凸部を設けておき、この環状凸部の内側の凹部に第１接続ケーブル１１５の素子側端部（素線の束）１１５Ｓを挿入した上で環状凸部を押しつぶして、素線の束を押しつぶされた環状凸部と圧着導通させるようにしても良い。
【００９９】
素子本体１１１（図６Ａ参照）でも、素子ブロック部１１２の表面１１２Ｓ全体を含む素子本体１１１の表面１１１Ｓ全体に、金属メッキ層（例えばニッケルメッキ層）１１１Ｍを被着することもできる。なお後述するように、金属メッキ層１１１Ｍの材質によって、音質改変素子１１０で改変される音ＳＤの音質が異なる。また、素子ブロック部１１２等を保護するため、あるいは不要な導通を防止するため、素子ブロック部１１２に、あるいは、素子ブロック部１１２と第１接続ケーブル１１５の素子側端部１１５Ｓと止めナット１８に、絶縁性の被膜からなる絶縁保護層１１１Ｃを形成しても良い。音質改変素子１１０を筐体や保護カバー内に収容して保護しても良い。また、図６Ｂでは、素子本体１１１の一方に第１接続ケーブル１１５を１本接続した形態の音質改変素子１１０を示した。しかし、素子本体１１１の一方に、２本の第１接続ケーブル１１５を設けた音質改変素子を用いることもできる。
【０１００】
さらに、実施形態１等の素子１０Ａ等と同様、図６Ａ，図６Ｂにおいて二点鎖線で示すように、音質改変素子１１１への外部からの振動の影響を抑制すべく、素子ブロック部１１２の表面１１２Ｓ上に、あるいは、金属メッキ層１１１Ｍ上に、防振層ＳＬを設けておくと良い。これにより、スピーカシステム４０で再生される音ＳＤをよりクリアできる。防振層ＳＬは、第１接続ケーブル１１５の素子側端部１１５Ｓや止めナット１８上にも設けても良い。
【０１０１】
＜実施形態４＞
第４の実施の形態を、図５，図６Ｂを参照して説明する。本実施形態４のシステム１２０では、図６Ｂに示す音質改変素子１１０を用い、前述の基本形態のシステム２（図２１参照）における接続路７０ＰＷ，７０ＮＷのうち伝送路６０ＰＷ，６０ＮＷ内の接続部位６０ＰＣ，６０ＮＣに、具体的には、アンプ３０（アンプ回路３１）のアンプ出力端子３１Ｐ，３１Ｎに、外部から、それぞれ音質改変素子１１０のうち第１接続ケーブル１１５の他端部１１５Ｔを接続する。かくして音質改変素子１１０（素子本体１１１）の第１素子端子部１１３が、アンプ出力端子３１Ｐ，３１Ｎに接続される。なお、アンプ３０（アンプ回路３１）のアンプ出力端子３１Ｐ，３１Ｎには、スピーカケーブル５０Ｐ，５０Ｎのアンプ側端部５０ＰＡ，５０ＮＡも接続する。
【０１０２】
このようにして音質改変素子１１０を用いた本実施形態４のシステム１２０では、音質改変素子を用いない（即ち基本形態の）システム２に比して、スピーカシステム４０から放射される音ＳＤの音質を改変することができる。このように接続した音質改変素子１１０によって音質を改変できるメカニズムの詳細は不明である。しかし、アンプ回路３１のアンプ出力端子３１Ｐ，３１Ｎから出力された音声信号ＳＡの一部である分岐音声信号ＳＢが、音質改変素子１１０に向けて分岐して流れる。このため、音質改変素子１１０を用いない場合（基本形態のシステム２）に比して、スピーカシステム４０に入力される音声信号ＳＳが変化し、スピーカシステム４０で再生された音ＳＤの音質が変化したと考えられる。
【０１０３】
＜実施形態５＞
次いで、第５の実施の形態を、図７Ａ，図６Ｂを参照して説明する。本実施形態５のシステム１２１では、図６Ｂに示す音質改変素子１１０を用い、前述の基本形態のシステム２（図２１参照）における伝送路６０ＰＷ，６０ＮＷ内の接続部位６０ＰＣ，６０ＮＣに、具体的には、スピーカケーブル１５０Ｐ，１５０Ｎの途中に、それぞれ音質改変素子１１０を接続する。さらに具体的には、スピーカケーブル５０Ｐ，５０Ｎに代えて、第１スピーカケーブル１５１Ｐ，１５１Ｎ及び第２スピーカケーブル１５２Ｐ，１５２Ｎからなるスピーカケーブル１５０Ｐ，１５０Ｎを用いる。そして、音質改変素子１１０のうち第１接続ケーブル１１５の他端部１１５Ｔを、第１スピーカケーブル１５１Ｐ，１５１Ｎのスピーカ側端部１５１ＰＳ，１５１ＮＳと、第２スピーカケーブル１５２Ｐ，１５２Ｎのアンプ側端部１５２ＰＡ，１５２ＮＡとにそれぞれ接続する。具体的には、第１接続ケーブル１１５の他端部１１５Ｔと、第１スピーカケーブル１５１Ｐのスピーカ側端部１５１ＰＳと、第２スピーカケーブル１５２Ｐのアンプ側端部１５２ＰＡの三者を、図示しないボルト及び止めナットを用いて一体に結合して互いに導通させる。また、第１接続ケーブル１１５の他端部１１５Ｔと、第１スピーカケーブル１５１Ｎのスピーカ側端部１５１ＮＳと、第２スピーカケーブル１５２Ｎのアンプ側端部１５２ＮＡの三者を、図示しないボルト及び止めナットを用いて一体に結合して互いに導通させる。かくして音質改変素子１１０（素子本体１１１）の第１素子端子部１１３が、スピーカケーブル１５０Ｐ，１５０Ｎの途中の接続部位６０ＰＣ，６０ＮＣであるスピーカ側端部１５１ＰＳ，１５１ＮＳ及びアンプ側端部１５２ＰＡ，１５２ＮＡに接続される。なお、アンプ３０（アンプ回路３１）のアンプ出力端子３１Ｐ，３１Ｎには、第１スピーカケーブル１５１Ｐ，１５１Ｎのアンプ側端部１５１ＰＡ，１５１ＮＡをそれぞれ接続する。またスピーカシステム４０のスピーカ入力端子４０Ｐ，４０Ｎには、第２スピーカケーブル１５２Ｐ，１５２Ｎのスピーカ側端部１５２ＰＳ，１５２ＮＳをそれぞれ接続する。
【０１０４】
実施形態４のシステム１２０と同様、音質改変素子１１０を用いた本実施形態５のシステム１２１でも、音質改変素子を用いない（即ち基本形態の）システム２に比して、音声信号ＳＳを変化させ、スピーカシステム４０（スピーカ４１）から放射される音ＳＤの音質を改変することができる。
【０１０５】
＜変形形態８＞
次いで、実施形態５の変形形態である変形形態８のシステム１２１ａを、図７Ｂ，図６Ｂを参照して説明する。上述の実施形態５のシステム１２１では、各スピーカケーブル１５０Ｐ，１５０Ｎの途中にそれぞれ１つの音質改変素子１１０を接続した。これに対し、本変形形態８のシステム１２１ａでは、各スピーカケーブル１５０Ｐ，１５０Ｎの途中の同一の接続部位６０ＰＣ，６０ＮＣに、それぞれ複数（変形形態８では２つ）の音質改変素子１１０を用いた点で異なる。即ち、２つの音質改変素子１１０の第１接続ケーブル１１５の他端部１１５Ｔと、第１スピーカケーブル１５１Ｐのスピーカ側端部１５１ＰＳと、第２スピーカケーブル１５２Ｐのアンプ側端部１５２ＰＡの四者を、図示しないボルト及び止めナットを用いて一体に結合して互いに導通している。また、２つの音質改変素子１１０の第１接続ケーブル１１５の他端部１１５Ｔと、第１スピーカケーブル１５１Ｎのスピーカ側端部１５１ＮＳと、第２スピーカケーブル１５２Ｎのアンプ側端部１５２ＮＡの四者を、図示しないボルト及び止めナットを用いて一体に結合して互いに導通している。
【０１０６】
本変形形態８のシステム１２１ａで再生される音ＳＤａは、実施形態５のシステム１２１で再生される音ＳＤとも異なるものとなる。スピーカケーブル１５０Ｐ，１５０Ｎの途中の同一部位に複数の音質改変素子１１０を接続したので、スピーカシステム４０に入力される音声信号ＳＳａには、各音質改変素子による音質改変の効果が重畳されており、スピーカ４１で再生される音ＳＤａの音質が、実施形態５における音ＳＤに比しても、より大きく改変される。なお、接続する複数の音質改変素子１１０は、素子ブロック部１１２の寸法を互いに同じとすることもできるし、互いに異なる寸法とすることもできる。素子ブロック１１２の寸法が同じである複数の音質改変素子を用いた場合には、音質改変の効果が深く生じる。また、例えば素子ブロック１１２の径寸法が大／中／小である３つの音質改変素子１１０を用いるなど、素子ブロック１１２の寸法が異なる複数の音質改変素子を用いた場合には、各々の音質改変素子による音質改変の効果が重なり、広い音域で音質改変の効果が生じる。また、前述した実施形態４及び後述する実施形態６などにおいて、複数の音質改変素子１１０を用いた場合にも同様の効果が得られる。
【０１０７】
＜変形形態９＞
次いで、実施形態５の変形形態である変形形態９のシステム１２１ｂを、図７Ｃ，図６Ｂを参照して説明する。上述の実施形態５及び変形形態８のシステム１２１，１２１ａでは、両チャンネルにおいて接続する音質改変素子の構成を同じとした。即ち、各チャンネル（ＲチャンネルとＬチャンネル）において、一対（２本）のスピーカケーブル１５０Ｐ，１５０Ｎの途中に、それぞれ同じ音質改変素子１１０をあるいは複数（変形形態８では２つ）の音質改変素子１１０を同様に接続した。これに対し、本変形形態９のシステム１２１ｂでは、Ｒチャンネル（図７Ｃにおいて上側）の一対（２本）のスピーカケーブル１５０Ｐ，１５０Ｎの途中（スピーカ側端部１５１ＰＳ，１５１ＮＳ及びアンプ側端部１５２ＰＡ，１５２ＮＡ）には、変形形態８と同じく、それぞれ、２つの音質改変素子１１０を接続している。一方、Ｌチャンネル（図７Ｃにおいて下側）の一対（２本）のスピーカケーブル１５０Ｐ，１５０Ｎの途中には、実施形態５と同じく、それぞれ、１つの音質改変素子１１０を接続している。即ち、このシステム１２１ｂでは、ＲチャンネルとＬチャンネルとで、接続されている音質改変素子の構成が不均等となっている。
【０１０８】
このため、Ｒチャンネル（図７Ｃにおいて上側）のスピーカシステム４０では、変形形態８と同じく、音声信号ＳＳａが入力され音ＳＤａが再生されるが、Ｌチャンネル（図７Ｃにおいて下側）のスピーカシステム４０では、実施形態５と同じく、音声信号ＳＳが入力され音ＳＤが再生される。これにより、リスナＬＮの知覚する音像定位に影響を与え、リスナＬＮが定位する音像の位置をずらすことができる。使用する音質改変素子１１０の素子ブロック１１２の寸法によって効果の程度は異なるが、具体的には例えば、基本形態、実施形態５及び変形形態８のシステム２，１２１，１２１ａでは、図２１，図７Ａ，図７Ｂに示すように、リスナＬＮから見て左右に並べた２つのスピーカシステム４０までの距離が等しくなる場所にリスナＬＮが位置した場合に、リスナＬＮには、丁度正面に歌手やオーケストラが位置しているように聞こえる。一方、本変形形態９のシステム１２１ｂでは、図７Ｃに示すように、リスナＬＮがむしろやや左側のスピーカシステム４０寄り（図７Ｃにおいて下側）に位置すると、歌手やオーケストラ（音像）が正面に位置しているように聞こえるようにできる。
【０１０９】
＜実施形態６＞
次いで、第６の実施の形態を、図８，図６Ｂを参照して説明する。本実施形態６のシステム１２２では、図６Ｂに示す音質改変素子１１０を用い、前述の基本形態のシステム２（図２１参照）における伝送路６０ＰＷ，６０ＮＷ内の接続部位６０ＰＣ，６０ＮＣに、具体的には、スピーカシステム４０のスピーカ入力端子４０Ｐ，４０Ｎに、外部から、この音質改変素子１１０のうち第１接続ケーブル１１５の他端部１１５Ｔを接続する。かくして音質改変素子１１０（素子本体１１１）の第１素子端子部１１３が、スピーカ入力端子４０Ｐ，４０Ｎに接続される。なお、スピーカシステム４０のスピーカ入力端子４０Ｐ，４０Ｎには、スピーカケーブル５０Ｐ，５０Ｎのスピーカ側端部５０ＰＳ，５０ＮＳもそれぞれ接続する。
【０１１０】
実施形態４，５のシステム１２０，１２１と同様、音質改変素子１１０を用いた本実施形態６のシステム１２２でも、音質改変素子を用いない（即ち基本形態の）システム２に比して、音声信号ＳＳを変化させ、スピーカシステム４０から放射される音ＳＤの音質を改変することができる。
【０１１１】
（ループ接続タイプの音質改変素子）
次に実施形態７〜９、変形形態１，４等で用いるループ接続タイプの音質改変素子２１０，２１０Ａ，２１０Ｂについて、図１０Ａ、図１０Ｂ，図１０Ｃを参照して説明する。音質改変素子２１０，２１０Ａ，２１０Ｂ（図１０Ａ〜図１０Ｃ参照）は、前述した素子本体１１（図２Ａ参照）と第１接続ケーブル２１５と第２接続ケーブル２１６とからなる。なお、音質改変素子２１０，２１０Ａ，２１０Ｂは、後述する実施形態１０，１１及び変形形態１，４でも用いる。素子本体１１（図２Ａ参照）は、既に説明したように、単一の金属ブロックからなり、円柱形状の素子ブロック部１２と、第１端面１２Ｔ１から突出する雄ネジ状の第１素子端子部１３と、第２端面１２Ｔ２から突出する雄ネジ状の第２素子端子部１４とを有する。素子ブロック部１２としては、例えば、径Ｄ＝１０ｍｍ、長さＬ＝４２ｍｍの円柱形状が挙げられる。
【０１１２】
なお、後述するように、音質改変素子２１０においても、素子ブロック部１２の径Ｄおよび長さＬの大きさに応じて、音質改変素子２１０の接続で改変される音域、改変の程度が変化する。この音質改変素子２１０として、例えば、素子ブロック部１２が径Ｄ＝１０ｍｍ、長さＬ＝４２ｍｍの円柱形状であるものを用いたシステムでは、これを用いていない基本形態のシステム２に比して、さらには実施形態１〜６のシステム２０〜２２，１２０〜１２２に比しても、音声やピアノの音など、スピーカシステムから再生される音楽（楽曲）等のうち、中音域から中高音域における一音一音がくっきりとして強調される。しかも、実施形態１〜６のシステム２０〜２２，１２０〜１２２とは異なり、中音域、中高音域のみならず中低音域さらには低音域、重低音域においても一音一音がくっきりとして強調される音質改変の効果が強く現れ、バランスの良い音となる。加えて、音質改変素子２１０として、素子ブロック部１２の径Ｄを大きくするほど、重低音域から中高音域まで一音一音がくっきりとして強調される音質改変の効果がより強く現れる。また、音質改変素子２１０として、素子ブロック部１２の長さＬを大きくするほど、一音一音がくっきりとして強調される音質改変の程度が大きくなる。なお、音質改変素子１０Ｂ等を用いる実施形態１〜３のシステム２０〜２２、及び、音質改変素子１１０を用いる実施形態４〜６のシステム１２０〜１２２に比して、音質改変素子２１０を用いる実施形態７〜９のシステム２２０〜２２２では、重低音域あるいは低音域における音質改変の程度も、中音域から中高音域における音質改変の効果も、相対的に高い傾向にある。
【０１１３】
第１接続ケーブル２１５は、ケーブルの一方端（素線の束）にＵ型圧着端子を結合して素子側端部２１５Ｓとしたものであり、この素子側端部２１５Ｓは、第１素子端子部１３に螺合した止めナット１８により、素子ブロック部１２の第１端面１２Ｔ１に圧接、導通している。第２接続ケーブル２１６も、ケーブルの一方端（素線の束）にＵ型圧着端子を結合して素子側端部２１６Ｓとしたものであり、この素子側端部２１６Ｓは、第２素子端子部１４に螺合した止めナット１９により、素子ブロック部１２の第２端面１２Ｔ２に圧接、導通している。一方、第１接続ケーブル２１５の他端部２１５Ｔ（素線の束）と第２接続ケーブル２１６の他端部２１６Ｔ（素線の束）とは、Ｕ型圧着端子である端子部材２１７によって結束されて、互いに導通している。なお、第１接続ケーブル２１５及び第２接続ケーブル２１６の長さは、後述するように、音質改変素子２１０の第１素子端子部１３及び第２素子端子部１４を、第１接続ケーブル２１５及び第２接続ケーブル２１６を介してアンプ出力端子３１Ｐ，３１Ｎなどに導通接続するに足る長さであれば良い。具体的には、５０ｃｍ以下とすると良く、更に好ましくは、３０ｃｍ以下とすると良い。本実施形態７〜１１では、例えば、第１接続ケーブル２１５の長さを２５ｃｍ、第２接続ケーブル２１６の長さを３０ｃｍとした。
【０１１４】
また、下記する実施形態７等において、音質改変素子２１０（図１０Ａ参照）に代えて、端子部材２１７を用いない音質改変素子２１０Ａ（図１０Ｂ参照）を用いることもできる。この音質改変素子２１０Ａは、音質改変素子２１０の端子部材２１７に代えて、第１接続ケーブル２１５の他端部２１５Ｔ２（素線の束）及び第２接続ケーブル２１６の他端部２１６Ｔ２（素線の束）を、それぞれ同一のアンプ出力端子３１Ｐ，３１Ｎなどに直接に導通接続するようにすると良い。
【０１１５】
あるいは、下記する実施形態７等において、音質改変素子２１０（図１０Ａ参照）に代えて、端子部材２１７を用いず、第１接続ケーブル２１５の他方端の素線の束にＵ型圧着端子２１８を結合して他端部２１５Ｔ３とする一方、第２接続ケーブル２１６の他方端の素線の束に別のＵ型圧着端子２１９を結合して他端部２１６Ｔ３とした、音質改変素子２１０Ｂ（図１０Ｃ参照）を用いることもできる。この音質改変素子２１０Ｂは、音質改変素子２１０の単一の端子部材２１７に代えて、第１接続ケーブル２１５の他端部２１５Ｔ３（Ｕ型圧着端子２１８）及び第２接続ケーブル２１６の他端部２１６Ｔ３（Ｕ型圧着端子２１９）を、それぞれ同一のアンプ出力端子３１Ｐ，３１Ｎなどに直接に導通接続するようにすると良い。また、これらの音質改変素子２１０，２１０Ａ，２１０Ｂにおいて、第１接続ケーブル２１５の長さと第２接続ケーブル２１６の長さとを、互いに異ならせても良い。但し、第１接続ケーブル２１５と第２接続ケーブル２１６とを同じ長さとすると、より音質改変の効果が大きくなる傾向にあり、さらに好ましい。
【０１１６】
加えて前述したように、素子本体１１（図２Ａ参照）には、金属メッキ層（例えばニッケルメッキ層）１１Ｍをその全体に被着することもできる。
また、素子ブロック部１２等を保護するため、あるいは不要な導通を防止するため、素子ブロック部１２に、あるいは、素子ブロック部１２と素子側端部２１５Ｓと素子側端部２１６Ｓと止めナット１８，１９に、エナメル被膜など絶縁性の被膜からなる絶縁保護層１１Ｃを形成しても良い。音質改変素子２１０，２１０Ａ，２１０Ｂを保護用の筐体や保護カバー内に収容して保護しても良い。
【０１１７】
さらに、実施形態１等の素子１０Ａ等と同様、図１０Ａ〜図１０Ｃにおいて二点鎖線で示すように、音質改変素子１１への外部からの振動の影響を抑制すべく、素子ブロック部１２の表面１２Ｓ上に、あるいは、金属メッキ層１１Ｍ上に、防振層ＳＬを設けておくと良い。これにより、スピーカシステム４０で再生される音ＳＤをよりクリアできる。防振層ＳＬは、接続ケーブル２１５，２１６の素子側端部２１５Ｓ，２１６Ｓや止めナット１８上にも設けても良い。
【０１１８】
＜実施形態７＞
第７の実施の形態を、図９，図１０Ａを参照して説明する。本実施形態７のシステム２２０では、図１０Ａに示す音質改変素子２１０を用い、前述の基本形態のシステム２（図２１参照）における接続路７０ＰＷ，７０ＮＷのうち伝送路６０ＰＷ，６０ＮＷ内の接続部位６０ＰＣ，６０ＮＣに、具体的には、アンプ３０（アンプ回路３１）のアンプ出力端子３１Ｐ，３１Ｎに、外部から、それぞれ音質改変素子２１０の端子部材２１７を接続する。かくして音質改変素子２１０（素子本体１１）の第１素子端子部１３及び第２素子端子部１４が、同一のアンプ出力端子３１Ｐ，３１Ｎに接続される。なお、アンプ３０（アンプ回路３１）のアンプ出力端子３１Ｐ，３１Ｎには、スピーカケーブル５０Ｐ，５０Ｎのアンプ側端部５０ＰＡ，５０ＮＡもそれぞれ接続する。
【０１１９】
このようにして音質改変素子２１０を用いた本実施形態７のシステム２２０では、音質改変素子を用いない（即ち基本形態の）システム２で得られる音ＳＤ０に比して、スピーカシステム４０から放射される音ＳＤの音質を改変することができる。このように接続した音質改変素子２１０によって音質を改変できるメカニズムの詳細は不明である。しかし、接続部位（本実施形態７ではアンプ出力端子３１Ｐ，３１Ｎ）に、この音質改変素子２１０（具体的には端子部材２１７）が接続されている。このため、アンプ回路３１のアンプ出力端子３１Ｐ，３１Ｎから出力された音声信号ＳＡの一部である分岐音声信号ＳＢ１，ＳＢ２が、音質改変素子２１０に向けて分岐して流れ、第１素子端子部１３、素子ブロック部１２、第２素子端子部１４の順に通る経路（及びこの逆の経路）でループ状に流れた後に接続部位に戻る。これにより、音質改変素子２１０を用いないシステム２の場合（基本形態のシステム２）に比して、スピーカシステム４０に入力される音声信号（電気信号）ＳＳが変化し、スピーカシステム４０で再生される音ＳＤの音質の違いが変化したと考えられる。しかも、音質改変素子２１０では、２本の接続ケーブル２１５，２１６を通じて素子本体１１に分岐音声信号ＳＢ１，ＳＢ２がそれぞれループ状に流れるため、実施形態４〜６に用いた音質改変素子１１０を用いた場合とも、再生される音ＳＤの音質への影響が異なると考えられる。
【０１２０】
＜実施形態８＞
次いで、第８の実施の形態を、図１１Ａ，図１０Ａを参照して説明する。本実施形態８のシステム２２１では、図１０Ａに示す音質改変素子２１０を用い、前述の基本形態のシステム２（図２１参照）における伝送路６０ＰＷ，６０ＮＷ内の接続部位６０ＰＣ，６０ＮＣに、具体的には、スピーカケーブル５０Ｐ，５０Ｎの途中に、それぞれ音質改変素子２１０を接続する。具体的には、実施形態５と同様、スピーカケーブル５０Ｐ，５０Ｎに代えて、第１スピーカケーブル１５１Ｐ，１５１Ｎ及び第２スピーカケーブル１５２Ｐ，１５２Ｎからなるスピーカケーブル１５０Ｐ，１５０Ｎを用いる。そして、音質改変素子２１０の端子部材２１７を、第１スピーカケーブル１５１Ｐ，１５１Ｎのスピーカ側端部１５１ＰＳ，１５１ＮＳと、第２スピーカケーブル１５２Ｐ，１５２Ｎのアンプ側端部１５２ＰＡ，１５２ＮＡとにそれぞれ接続する。具体的には、音質改変素子２１０の端子部材２１７と、第１スピーカケーブル１５１Ｐのスピーカ側端部１５１ＰＳと、第２スピーカケーブル１５２Ｐのアンプ側端部１５２ＰＡの三者を、図示しないボルト及び止めナットを用いて一体に結合して互いに導通させている。また、音質改変素子２１０の端子部材２１７と、第１スピーカケーブル１５１Ｎのスピーカ側端部１５１ＮＳと、第２スピーカケーブル１５２Ｎのアンプ側端部１５２ＮＡの三者を、図示しないボルト及び止めナットを用いて一体に結合して互いに導通させている。かくして音質改変素子２１０（素子本体２１１）の第１素子端子部１３及び第２素子端子部１４が、スピーカケーブル１５０Ｐ，１５０Ｎの同一の途中の接続部位６０ＰＣ，６０ＮＣであるスピーカ側端部１５１ＰＳ，１５１ＮＳ及びアンプ側端部１５２ＰＡ，１５２ＮＡに接続される。なお、アンプ３０のアンプ出力端子３１Ｐ，３１Ｎには、第１スピーカケーブル１５１Ｐ，１５１Ｎのアンプ側端部１５１ＰＡ，１５１ＮＡを接続する。またスピーカシステム４０のスピーカ入力端子４０Ｐ，４０Ｎには、第２スピーカケーブル１５２Ｐ，１５２Ｎのスピーカ側端部１５２ＰＳ，１５２ＮＳを接続する。
【０１２１】
実施形態７のシステム２２０と同様、音質改変素子２１０を用いた本実施形態８のシステム２２１でも、音質改変素子を用いない（即ち基本形態の）システム２に比して、音声信号ＳＳを変化させ、スピーカシステム４０から放射される音ＳＤの音質を改変することができる。
【０１２２】
＜変形形態１０＞
次いで、実施形態８の変形形態である変形形態１０のシステム２２１ａを、図１１Ｂ，図１０Ａを参照して説明する。上述の実施形態８のシステム２２１では、各スピーカケーブル１５０Ｐ，１５０Ｎの途中にそれぞれ１つの音質改変素子２１０を接続した。これに対し、本変形形態１０のシステム２２１ａでは、各スピーカケーブル１５０Ｐ，１５０Ｎの途中の同一の接続部位６０ＰＣ，６０ＮＣに、それぞれ複数（変形形態１０では２つ）の音質改変素子２１０を接続した点で異なる。即ち、２つの音質改変素子２１０の端子部材２１７と、第１スピーカケーブル１５１Ｐのスピーカ側端部１５１ＰＳと、第２スピーカケーブル１５２Ｐのアンプ側端部１５２ＰＡの四者を、図示しないボルト及び止めナットを用いて一体に結合して互いに導通させている。また、２つの音質改変素子２１０の端子部材２１７と、第１スピーカケーブル１５１Ｎのスピーカ側端部１５１ＮＳと、第２スピーカケーブル１５２Ｎのアンプ側端部１５２ＮＡの四者を、図示しないボルト及び止めナットを用いて一体に結合して互いに導通させている。かくして２つの音質改変素子２１０（素子本体２１１）の第１素子端子部１３及び第２素子端子部１４が、スピーカケーブル１５０Ｐ，１５０Ｎに接続される。
【０１２３】
本変形形態１０のシステム２２１ａで再生される音ＳＤａは、音質改変素子２１０を１つずつ用いた実施形態８のシステム２２１で再生される音ＳＤとも異なるものとなる。スピーカシステム４０に入力される音声信号ＳＳａには、各音質改変素子２１０による音質改変の効果が重畳されており、スピーカシステム４０で再生される音ＳＤａの音質が、実施形態８における音ＳＤに比しても、より大きく改変される。なお、接続する複数の音質改変素子２１０は、素子ブロック部１２の寸法を互いに同じとすることもできるし、互いに異なる寸法とすることもできる。素子ブロック１２の寸法が同じである複数の音質改変素子を用いた場合には、当該音質改変素子による音質改変の効果が深く生じる。また、例えば素子ブロック１２の径寸法が大／中／小である３つの音質改変素子２１０を用いるなど、素子ブロック１２の寸法が異なる複数の音質改変素子を用いた場合には、各々の音質改変素子による音質改変の効果が重なり、広い音域で音質改変の効果が生じる。また、前述した実施形態７及び後述する実施形態９などにおいて、複数の音質改変素子２１０を用いた場合にも同様の効果が得られる。
【０１２４】
＜変形形態１１＞
次いで、実施形態８の変形形態である変形形態１１のシステム２２１ｂを、図１１Ｃ，図１０Ａを参照して説明する。上述の実施形態８及び変形形態１０のシステム２２１，２２１ａでは、両チャンネルについて接続する音質改変素子の構成を同じとした。即ち、各チャンネル（ＲチャンネルとＬチャンネル）において、一対（２本）のスピーカケーブル１５０Ｐ，１５０Ｎの途中に、それぞれ同じ音質改変素子２１０をあるいは複数（変形形態１０では２つ）の音質改変素子２１０を同様に接続した。これに対し、本変形形態１１のシステム２２１ｂでは、Ｒチャンネル（図１１Ｃにおいて上側）の一対（２本）のスピーカケーブル１５０Ｐ，１５０Ｎの途中に、変形形態１０と同じく、それぞれ、２つの音質改変素子２１０を接続している。一方、Ｌチャンネル（図１１Ｃにおいて下側）の一対（２本）のスピーカケーブル１５０Ｐ，１５０Ｎの途中に、実施形態８と同じく、それぞれ、１つの音質改変素子２１０を接続している。即ち、このシステム２２１ｂでは、ＲチャンネルとＬチャンネルとで、接続されている音質改変素子の構成が不均等となっている。
【０１２５】
このため、Ｒチャンネル（図１１Ｃにおいて上側）のスピーカシステム４０では、変形形態１０と同じく、音声信号ＳＳａが入力され音ＳＤａが再生されるが、Ｌチャンネルのスピーカシステム４０では、実施形態８と同じく、音声信号ＳＳが入力され音ＳＤが再生される。これにより、リスナＬＮの知覚する音像定位に影響を与え、リスナＬＮが定位する音像の位置をずらすことができる。使用する音質改変素子２１０の素子ブロック１２の寸法によって効果の程度は異なるが、具体的には例えば、本変形形態１１のシステム２２１ｂでは、図１１Ｃに示すように、リスナＬＮがむしろやや左側のスピーカシステム４０寄り（図１１Ｃにおいて下側）に位置すると、歌手やオーケストラ（音像）が正面に位置しているように聞こえるようにできる。
【０１２６】
＜変形形態１２＞
さらに、実施形態８の変形形態である変形形態１２のシステム２２１ｃを、図１１Ｄ，図２Ｂ，図１０Ｃを参照して説明する。上述の変形形態１０のシステム２２１ａでは、各スピーカケーブル１５０Ｐ，１５０Ｎの途中の同一位置に、複数の（変形形態１０では２つ）の音質改変素子２１０を各々独立に接続した。これに対し、本変形形態１２のシステム２２１ｃでは、複数（変形形態１２では３つ）の音質改変素子１０Ａ，２１０Ｂを互いに直列に接続しておき、未接続の素子端子部１３，１４を、各スピーカケーブル１５０Ｐ，１５０Ｎの途中の同一の接続部位６０ＰＣ，６０ＮＣに接続して、直列に接続した３つの音質改変素子１０Ａ，２１０Ｂをループ状に接続している。具体的には、図２Ｂに示す２つの音質改変素子１０Ａのうち、一方の音質改変素子１０Ａの第２素子端子部１４に、他方の音質改変素子１０Ａの第１接続ケーブル１５の他端部１５Ｔを、図示しない止めナットを用いて接続し、さらに、この他方の音質改変素子１０Ａの第２素子端子部１４に、図１０Ｃに示す音質改変素子２１０Ｂの第１接続ケーブル２１５の他端部２１５Ｔを、図示しない止めナットを用いて接続している。これにより２つの音質改変素子１０Ａと音質改変素子２１０Ｂとを互いに直列に接続している。そして、一方の音質改変素子１０Ａの第１接続ケーブル１５の未接続の他端部１５Ｔと、音質改変素子２１０Ｂの第２接続ケーブル２１６の未接続の他端部２１６Ｔと、第１スピーカケーブル１５１Ｐのスピーカ側端部１５１ＰＳと、第２スピーカケーブル１５２Ｐのアンプ側端部１５２ＰＡの四者を、図示しないボルト及び止めナットを用いて一体に結合して互いに導通している。スピーカケーブル１５０Ｎについても同様である。
【０１２７】
本変形形態１２のシステム２２１ｃで再生される音ＳＤａも、音質改変素子２１０を１つずつ用いた実施形態８のシステム２２１で再生される音ＳＤとも異なるものとなる。スピーカシステム４０に入力される音声信号ＳＳａには、各音質改変素子による音質改変の効果が重畳されており、スピーカシステム４０で再生される音ＳＤａの音質が、実施形態８における音ＳＤに比しても、より大きく改変される。なお、互いに直列接続する複数の音質改変素子１０Ａ，２１０Ｂは、素子ブロック部１２の寸法を互いに同じとすることもできるし、互いに異なる寸法とすることもできる。素子ブロック１２の寸法が同じ音質改変素子を複数用いた場合には、音質改変の効果が深く生じる。また、例えば素子ブロック１２の径寸法が大／中／小である３つの音質改変素子を用いるなど、素子ブロック１２の寸法が異なる複数の音質改変素子を用いた場合には、各々の音質改変素子による音質改変の効果が重なり、広い音域で音質改変の効果が生じる。
【０１２８】
＜実施形態９＞
次いで、第９の実施の形態を、図１２，図１０Ａを参照して説明する。本実施形態９のシステム２２２では、図１０Ａに示す音質改変素子２１０を用い、前述の基本形態のシステム２（図２１参照）における伝送路６０ＰＷ，６０ＮＷ内の接続部位６０ＰＣ，６０ＮＣに、具体的には、スピーカシステム４０のスピーカ入力端子４０Ｐ，４０Ｎに、外部から、それぞれ音質改変素子２１０の端子部材２１７を接続する。かくして音質改変素子２１０（素子本体１１）の第１素子端子部１１３及び第２素子端子部１４が、同一のスピーカ入力端子４０Ｐ，４０Ｎに接続される。なお、スピーカシステム４０のスピーカ入力端子４０Ｐ，４０Ｎには、スピーカケーブル５０Ｐ，５０Ｎのスピーカ側端部５０ＰＳ，５０ＮＳもそれぞれ接続する。
【０１２９】
実施形態７，８のシステム２２０，２２１と同様、音質改変素子２１０を用いた本実施形態９のシステム２２２でも、音質改変素子を用いない（即ち基本形態の）システム２に比して、音声信号ＳＳを変化させ、スピーカシステム４０から放射される音ＳＤの音質を改変することができる。
【０１３０】
（音質改変素子付きオーディオアンプ装置）
上述の実施形態７（図９参照）のシステム２２０では、前述の基本形態のシステム２（図２１参照）におけるアンプ３０（アンプ回路３１）のアンプ出力端子３１Ｐ，３１Ｎに、外部から、音質改変素子２１０（その端子部材２１７）を接続した形態を示した。
【０１３１】
＜変形形態１＞
しかしこの実施形態７の形態に限らず、この音質改変素子２１０をアンプ筐体３３３内に収容し、このアンプ筐体内で音質改変素子２１０を、アンプ回路３１からアンプ出力端子３１Ｐ，３１Ｎに至る出力路３１ＰＷ，３１ＮＷ内の接続部位３１ＰＣ，３１ＮＣに、例えば、出力路３１ＰＷ，３１ＮＷのうちアンプ出力端子３１Ｐ，３１Ｎに接続するように、アンプ３３０そのものを構成しても良い。即ち、実施形態７を変形した本変形形態１（図１３Ａ参照）のシステム３２０に示すように、アンプ３３０を、アンプ筐体３３３内に収容したアンプ回路３１のアンプ出力端子３１Ｐ，３１Ｎに、同じくアンプ筐体３３３内に収容した音質改変素子２１０の端子部材２１７をそれぞれ接続した音質改変素子付きオーディオアンプ装置としても良い。かくして、音質改変素子２１０（素子本体１１）の第１素子端子部１３及び第２素子端子部１４が、同一のアンプ出力端子３１Ｐ，３１Ｎに接続される。この場合には、基本形態のシステム２と同じく、アンプ３３０のアンプ出力端子３１Ｐ，３１Ｎと、スピーカシステム４０のスピーカ入力端子４０Ｐ，４０Ｎとを、スピーカケーブル５０Ｐ，５０Ｎでそれぞれ接続することで、音質改変素子２１０による音質改変の効果を得ることができる。
【０１３２】
＜変形形態１３＞
上記変形形態１のシステム３２０では、音質改変素子２１０を出力路３１ＰＷ，３１ＮＷのうちアンプ出力端子３１Ｐ，３１Ｎに接続した。しかし、図１３Ｂに示す本変形形態１３のシステム３２０ａのように、アンプ回路３１からアンプ出力端子３１Ｐ，３１Ｎに至る出力路３１ＰＷ，３１ＮＷの途中の接続部位３１ＰＣ，３１ＮＣに、音質改変素子２１０を接続しても良い。
【０１３３】
＜変形形態２＞
上記変形形態１と同様、図６Ｂの音質改変素子１１０をアンプ筐体３３３Ｂ内に収容し、このアンプ筐体内で出力路３１ＰＷ，３１ＮＷ内の接続部位３１ＰＣ，３１ＮＣに、例えば、出力路３１ＰＷ，３１ＮＷのうちアンプ出力端子３１Ｐ，３１Ｎに接続するように、アンプ３３０Ｂそのものを構成しても良い。即ち、音質改変素子２１０に代えて音質改変素子１１０を用い、実施形態４を変形した変形形態２（図１４参照）のシステム３２１に示すように、アンプ３３０Ｂを、アンプ筐体３３３Ｂ内に収容したアンプ回路３１のアンプ出力端子３１Ｐ，３１Ｎに、同じくアンプ筐体３３３Ｂ内に収容した音質改変素子１１０の第１接続ケーブル１１５の他端部１１５Ｔをそれぞれ接続した音質改変素子付きオーディオアンプ装置としても良い。かくして、音質改変素子１１０（素子本体１１１）の第１素子端子部１１３が、アンプ出力端子３１Ｐ，３１Ｎにそれぞれ接続される。この場合にも、アンプ３３０Ｂのアンプ出力端子３１Ｐ，３１Ｎと、スピーカシステム４０のスピーカ入力端子４０Ｐ，４０Ｎとを、スピーカケーブル５０Ｐ，５０Ｎでそれぞれ接続することで、音質改変素子１１０による音質改変の効果を得ることができる。
【０１３４】
＜変形形態３＞
あるいは、図２Ａで示した音質改変素子１０Ｂをアンプ筐体３３３Ｃ内に収容し、このアンプ筐体内で、音質改変素子１０Ｂがアンプ回路３１からアンプ出力端子３１Ｐ，３１Ｎに至る出力路３１ＰＷ，３１ＮＷ内に直列に接続されるように、アンプ３３０Ｃそのものを構成しても良い。即ち、音質改変素子１０Ｂを用い、実施形態２を変形した変形形態３（図１５参照）のシステム３２２に示すように、アンプ３３０Ｃのアンプ筐体３３３Ｃ内に収容したアンプ回路３１のアンプ出力内部端子３１Ｐ０，３１Ｎ０と、アンプ出力端子３１Ｐ，３１Ｎとの間の出力路３１ＰＷ，３１ＮＷに直列に、同じアンプ筐体３３３Ｃ内に収容した音質改変素子１０Ｂをそれぞれ接続するようにしても良い。さらに具体的には、アンプ出力内部端子３１Ｐ０，３１Ｎ０に音質改変素子１０Ｂの第１素子端子部１３を、アンプ出力端子３１Ｐ，３１Ｎに音質改変素子１０Ｂの第２素子端子部１４を接続して、アンプ出力内部端子３１Ｐ０，３１Ｎ０とアンプ出力端子３１Ｐ，３１Ｎとの間に音質改変素子１０Ｂを直列に配置する。この場合にも、アンプ３３０Ｃのアンプ出力端子３１Ｐ，３１Ｎと、スピーカシステム４０のスピーカ入力端子４０Ｐ，４０Ｎとを、スピーカケーブル５０Ｐ，５０Ｎでそれぞれ接続することで、音質改変素子１０Ｂによる音質改変の効果を得ることができる。
【０１３５】
（音質改変素子付きスピーカシステム）
また上述の実施形態９（図１２参照）のシステム２２２では、前述の基本形態のシステム２（図２１参照）におけるスピーカシステム４０のスピーカ入力端子４０Ｐ，４０Ｎに、外部から、音質改変素子２１０（その端子部材２１７）を接続した形態を示した。
【０１３６】
＜変形形態４＞
しかしこの実施形態９の形態に限らず、この音質改変素子２１０をスピーカボックス３４２内に収容し、このスピーカボックス内で音質改変素子２１０を、スピーカ入力端子４０Ｐ，４０Ｎからスピーカ４１に至る入力路４０ＰＷ，４０ＮＷ内の接続部位４０ＰＣ，４０ＮＣに、例えば、入力路４０ＰＷ，４０ＮＷのうちスピーカ入力端子４０Ｐ，４０Ｎに接続するように、スピーカシステム３４０そのものを構成しても良い。即ち、実施形態９を変形した変形形態４（図１６Ａ参照）のシステム３２３に示すように、スピーカシステム３４０のスピーカ入力端子４０Ｐ，４０Ｎに、スピーカボックス３４２内に収容した音質改変素子２１０の端子部材２１７をそれぞれ接続した音質改変素子付きスピーカシステムとしても良い。かくして音質改変素子２１０（素子本体１１）の第１素子端子部１３及び第２素子端子部１４が、同一のスピーカ入力端子４０Ｐ，４０Ｎに接続される。この場合にも、基本形態のシステム２と同じく、アンプ３０のアンプ出力端子３１Ｐ，３１Ｎと、スピーカシステム３４０のスピーカ入力端子４０Ｐ，４０Ｎとを、スピーカケーブル５０Ｐ，５０Ｎでそれぞれ接続することで、音質改変素子２１０による音質改変の効果を得ることができる。
【０１３７】
＜変形形態１４＞
上記変形形態４のシステム３２３では、音質改変素子２１０を入力路４０ＰＷ，４０ＮＷのうちスピーカ入力端子４０Ｐ，４０Ｎに接続した。しかし、図１６Ｂに示す本変形形態１４のシステム３２３ａのように、スピーカ入力端子４０Ｐ，４０Ｎからスピーカ４１に至る入力路４０ＰＷ，４０ＮＷの途中の接続部位４０ＰＣ，４０ＮＣに、音質改変素子２１０を接続しても良い。
【０１３８】
＜変形形態５＞
上記変形形態４と同様、図６Ｂの音質改変素子１１０をスピーカボックス３４２Ｂ内に収容し、このスピーカボックス内で入力路４０ＰＷ，４０ＮＷ内の接続部位４０ＰＣ，４０ＮＣに、例えば、入力路４０ＰＷ，４０ＮＷのうちスピーカ入力端子４０Ｐ，４０Ｎに接続するように、スピーカシステム３４０Ｂそのものを構成しても良い。即ち、音質改変素子２１０に代えて音質改変素子１１０を用い、実施形態６を変形した変形形態５（図１７参照）のシステム３２４に示すように、スピーカシステム３４０Ｂのスピーカ入力端子４０Ｐ，４０Ｎに、スピーカボックス３４２Ｂ内に収容した音質改変素子１１０の第１接続ケーブル１１５の他端部１１５Ｔをそれぞれ接続した音質改変素子付きスピーカシステムとしても良い。かくして音質改変素子１１０（素子本体１１１）の第１素子端子部１３が、スピーカ入力端子４０Ｐ，４０Ｎに接続される。この場合にも、アンプ３０のアンプ出力端子３１Ｐ，３１Ｎと、スピーカシステム３４０Ｂのスピーカ入力端子４０Ｐ，４０Ｎとを、スピーカケーブル５０Ｐ，５０Ｎでそれぞれ接続することで、音質改変素子１１０による音質改変の効果を得ることができる。
【０１３９】
＜変形形態６＞
あるいは、図２Ａで示した音質改変素子１０Ｂをスピーカボックス３４２Ｃ内に収容し、このスピーカボックス内で、音質改変素子１０Ｂがスピーカ入力端子４０Ｐ，４０Ｎからスピーカ４１に至る入力路４０ＰＷ，４０ＮＷ内に直列に接続されるように、スピーカシステム３４０Ｃそのものを構成しても良い。即ち、音質改変素子１０Ｂを用い、実施形態３を変形した変形形態６（図１８参照）のシステム３２５に示すように、スピーカシステム３４０Ｃのスピーカボックス３４２Ｃに設けたスピーカ入力端子４０Ｐ，４０Ｎと、スピーカ入力内部端子４０Ｐ０，４０Ｎ０との間の入力路４０ＰＷ，４０ＮＷに直列に、同じくスピーカボックス３４２Ｃ内に収容した音質改変素子１０Ｂを接続するようにしても良い。さらに具体的には、スピーカ入力端子４０Ｐ，４０Ｎに音質改変素子１０Ｂの第１素子端子部１３を、スピーカ入力内部端子４０Ｐ０，４０Ｎ０に音質改変素子１０Ｂの第２素子端子部１４を接続して、スピーカ入力端子４０Ｐ，４０Ｎとスピーカ入力内部端子４０Ｐ０，４０Ｎ０との間に音質改変素子１０Ｂを直列に配置する。この場合にも、アンプ３０のアンプ出力端子３１Ｐ，３１Ｎと、スピーカシステム３４０Ｃのスピーカ入力端子４０Ｐ，４０Ｎとを、スピーカケーブル５０Ｐ，５０Ｎでそれぞれ接続することで、音質改変素子１０Ｂによる音質改変の効果を得ることができる。
【０１４０】
＜実施形態１０，１１＞
次いで、第１０及び第１１の実施の形態を、図１９，図２０，図１０Ａを参照して説明する。前述の実施形態７（図９参照）では、アンプ３０（アンプ回路３１）のアンプ出力端子３１Ｐ，３１Ｎに、それぞれ図１０Ａに示す音質改変素子２１０の端子部材２１７を１つずつ接続した。即ち、１チャンネルあたり一対（２つ）の音質改変素子２１０を用いた。
【０１４１】
これに対し、本実施形態１０のシステム４２０（図１９参照）では、前述の基本形態のシステム２（図２１参照）におけるアンプ３０（アンプ回路３１）のうち、片側のアンプ出力端子３１Ｐのみに、音質改変素子２１０の端子部材２１７を接続する。これにより音質改変素子２１０（素子本体１１）の第１素子端子部１３及び第２素子端子部１４が、同一のアンプ出力端子３１Ｐに接続される。また、本実施形態１１のシステム４２１（図２０参照）では、前述の基本形態のシステム２（図２１参照）におけるアンプ３０（アンプ回路３１）のうち、片側のアンプ出力端子３１Ｎのみに、音質改変素子２１０の端子部材２１７を接続する。これにより音質改変素子２１０（素子本体１１）の第１素子端子部１３及び第２素子端子部１４が、同一のアンプ出力端子３１Ｎに接続される。なお、アンプ３０（アンプ回路３１）のアンプ出力端子３１Ｐ，３１Ｎには、スピーカケーブル５０Ｐ，５０Ｎのアンプ側端部５０ＰＡ，５０ＮＡもそれぞれ接続する。これにより、スピーカ４１には音声信号ＳＳｂが入力される。
【０１４２】
このようにして１チャンネル当たり１つの音質改変素子２１０を用いた本実施形態１０，１１のシステム４２０，４２１でも、実施形態７のシステム２２０と同じく、音質改変素子を用いない（即ち基本形態の）システム２で得られる音ＳＤ０に比して、スピーカシステム４０から放射される音ＳＤｂの音質を改変することができる。但し、１チャンネル当たり一対（２つ）の音質改変素子２１０を用いた実施形態７のシステム２２０に比して、一音一音がくっきりとして強調される音質改変の程度は低い。なお、音質改変素子２１０に代えて、音質改変素子１０Ｂあるいは音質改変素子１１０を、１チャンネル当たり１つ用いることもできる。
【０１４３】
＜音質改変素子（素子ブロック部）の寸法の検討＞
（実施例１−１〜１−４，２〜１５）
音質改変素子１０Ｂ，１１０，２１０のうち素子ブロック部１２，１１２の形態（寸法）と、音質改変の効果との関係について調査した。なお、以下の調査においては、実施形態２（図３Ａ参照）のシステム２１に示すように、音質改変素子１０Ｂを、それぞれ第１スピーカケーブル１５１Ｐ，１５１Ｎのスピーカ側端部１５１ＰＳ，１５１ＮＳと第２スピーカケーブル１５２Ｐ，１５２Ｎのアンプ側端部１５２ＰＡ，１５２ＮＡとの間に直列に接続した。以下では、このような音質改変素子１０Ｂ（１０Ａ，１０Ｃ）の接続パターンを「直列接続」と呼ぶこととする。また、実施形態５，８（図７Ａ，図１１Ａ参照）のシステム１２１，２２１に示すように、音質改変素子１１０，２１０を、それぞれ第１スピーカケーブル１５１Ｐ，１５１Ｎのスピーカ側端部１５１ＰＳ，１５１ＮＳと第２スピーカケーブル１５２Ｐ，１５２Ｎのアンプ側端部１５２ＰＡ，１５２ＮＡとに接続した。以下では、音質改変素子１１０を用いた接続パターンを「一端接続」と呼ぶこととし、音質改変素子２１０を用いた接続パターンを「ループ接続」と呼ぶこととする。
【０１４４】
音質改変素子１０Ｂ，１１０，２１０のうち素子ブロック部１２，１１２の形態（寸法）が異なる試料を作成し、実施形態２，５，８の各システム２１，１２１，２２１において、同じ音楽ＣＤをＣＤ駆動部３２で再生し、スピーカ４１から再生される音楽を聴いて、音ＳＤの伸びや音ＳＤのくっきり感などの音質を、「高音」及び「低音」に分けて評価した。評価者はＡ，Ｂ，Ｃの３名である。
【０１４５】
この評価における「高音」の音域は、概ね、中音域（３２０〜２６００Ｈｚ）、中高音域（２６００〜５０００Ｈｚ）の音域を指し、ソプラノ音声やフルート、ピッコロ、バイオリンの高音弦などの音が多く含まれる。「低音」の音域は、概ね、重低音域（１６〜４０Ｈｚ），低音域（４０〜１６０Ｈｚ）の音域を指し、バス音声や、バスチューバ、コントラバスなどの音が多く含まれる。なお、８８鍵ピアノの音域は、Ａ０〜Ｃ８（２７．５〜４１８６Ｈｚ）である。また、音質改変素子１０Ｂ，１１０，２１０を用いない、基準構成（図２１参照）のシステム２をも同様に再生し、音ＳＤ０の評価を基準（＝１）とし、もっとも良好であった実施例１４，１５（実施形態８）の評価を１０とする１０段階評価で行った。
【０１４６】
なお、基本形態のオーディオシステム２として、アンプ３０には、Thomann UK社製のステレオアンプThe-t.amp S-100 mk2を用いた。また、スピーカシステム４０には、Hasehiro Audio社製のスピーカボックス(エンクロージャ）MM-161にMark Audio社製のフルレンジスピーカAlpair6を取り付けて用いた。さらに、第１，第２スピーカケーブル１５１Ｐ，１５１Ｎ，１５２Ｐ，１５２Ｎには、それぞれ古河電工社製N-SKILL、耐熱、Ｈ-ＶＦＦ、ＯＦＣスピーカコード各２ｍを用い、スピーカケーブル５０Ｐ，５０Ｎには、それぞれ、第１スピーカケーブル１５１Ｐと第１スピーカケーブル１５１Ｎとを、及び、第２スピーカケーブル１５２Ｐと第２スピーカケーブル１５２Ｎとを接続して用いた。
【０１４７】
また、評価に用いた音楽ＣＤの楽曲は、１．佐渡裕  BEST×BEST バラード＆パッション（AVCL-25728/9エイベックス・クラシックス社製）のうち、Ｇ線上のアリア／佐渡裕／兵庫芸術文化センター管弦楽団、２．イ・ムジチ合奏団（イ・ムジチ・アーヨ：ポリグラム株式会社製）ヴィヴァルディ：四季、協奏曲第1番ホ長調RV269≪春≫のうち、第１楽章:Allegro、３．KENNY G  miracles（BMGビクター株式会社製）のうち、The Christmas Songの３曲を試聴して行った。これらの楽曲のうち、１（Ｇ線上のアリア）では、特に、コントラバスの音色に留意して評価した。また、２（春）では、特に、バイオリンの高音部の音色に留意して評価した。３（The Christmas Song）では、ソプラノサックスの音色、特にそのビブラート部の音色に留意して評価した。
【０１４８】
実施例１−１〜１−４では、音質改変素子１０Ｂのうち素子ブロック部１２の径ＤをＤ＝１０ｍｍφ一定とし、長さＬをＬ＝１０，２０，３０，４２ｍｍに変化させた。
また、実施例１−４及び実施例２〜１５では、径Ｄ及び長さＬを変化させた。具体的には、Ｄ×Ｌ＝１０ｍｍφ×４２ｍｍ（実施例１−４，６，１１）、５０ｍｍφ×２０ｍｍ（実施例２，７，１２）、１００ｍｍφ×１６ｍｍ（実施例３，８，１３）、２００ｍｍφ×１８ｍｍ（実施例４，９，１４）、３００ｍｍφ×１９ｍｍ（実施例５，１０，１５）とした。なお、素子本体１１，１１１の材質は、いずれも無酸素銅（ＪＩＳ：Ｃ１０２０、メッキ無し、被覆層無し、防振層なし）である。
各実施例の結果を表１，表２，表３に示す。
【０１４９】
【表１】
0006945896.tif 000002
【０１５０】
【表２】
0006945896.tif 000003
【０１５１】
【表３】
0006945896.tif 000004
【０１５２】
（実施例１−１〜１−４）
表１によれば、実施例１−１〜１−４の評価結果（Ｄ＝１０ｍｍφ固定、Ｌ＝１０〜４２ｍｍ）から、音質改変素子１０Ｂの素子ブロック部１２の長さＬを大きくするほど、スピーカシステム４０から再生される音ＳＤの音質を改変する効果が大きくなることが判る。具体的には、素子ブロック部１２の長さＬが大きいほど、基準構成（素子無し）の音ＳＤ０に比して、「高音」（中音域、中高音域）における一音一音がくっきりと強調される。さらに、「低音」（重低音域、低音域）についても、「高音」に比して評価は低いものの、素子ブロック部１２の長さＬが大きいほど、一音一音がくっきりと強調される。
この結果から理解できるように、素子ブロック部１２の長さＬは、一音一音がくっきりとして強調される音質改変の程度に影響しており、長さＬが長いほど音質改変の効果が大きく得られることが判る。
【０１５３】
なお、実施例１−１〜１−４では、図３Ａに示すシステム２１で音質改変素子１０Ｂを「直列接続」の形態に接続した。しかし、表２，表３には示さないが、図７Ａ，図１１Ａに示すシステム１２１，２２１で音質改変素子１１０，２１０を「一端接続」あるいは「ループ接続」の形態に接続し、音質改変素子１１０，２１０の素子ブロック部１１２，１２の径ＤをＤ＝１０ｍｍφ一定とし、長さＬをＬ＝１０，２０，３０，４２ｍｍに変化させた場合も、同様に、素子ブロック部１１２，１２の長さＬが長いほど、一音一音がくっきりとして強調される音質改変の程度が大きくなることが確かめられている。
また、素子ブロック部１２の長さＬが、Ｌ＝５ｍｍを下回る場合には、音質改変の効果が僅かとなり、わざわざ音質改変素子１０Ｂ等を用いるメリットが少ないので、長さＬ≧５ｍｍとすると良い。
【０１５４】
（実施例１−４，２〜５）
次に、音質改変素子１０Ｂを「直列接続」の形態に接続する、実施形態２のシステム２１（図３Ａ参照）において、素子ブロック部１２の径Ｄ及び長さＬを変化させた実施例１−４及び実施例２〜５の結果からは、以下が判る（表１参照）。音質改変素子１０Ｂを用いた場合、素子ブロック部１２の径Ｄは、概ね、一音一音がくっきりとして強調される音の高さの範囲（音域）と、効果の程度とに影響する。即ち、素子ブロック部１２の径Ｄを大きくするほど、「高音」（中音域、中高音域）において、一音一音がくっきりと強調される音質改変の程度が増大する。「低音」（重低音域、低音域）についても、素子ブロック部１２の径Ｄが大きいほど、一音一音がくっきりと強調される音質改変の程度が増大する。しかも、「高音」よりも、径Ｄが大きいほど効果の増大が大きく感じられる傾向がある。
【０１５５】
但し、径Ｄ＝２００ｍｍφを超えると、「高音」、「低音」とも、音質改変の程度はほぼ同じとなり、増大が頭打ちとなる（効果が飽和する）ことも判る。一方、径Ｄを大きくすると、音質改変素子１０Ｂの体格も大きくなり、重量も増大するので、径Ｄ≦３００ｍｍφとすれば足りると解される。これらから、「直列接続」の場合（実施例１−４，２〜５）において、最も音質改変の効果が得られるのは、径Ｄ＝２００ｍｍφ（実施例４）であることが判る。
【０１５６】
一方、素子ブロック部１２の径Ｄが、Ｄ＝５ｍｍを下回る場合には、一音一音がくっきりと強調される音質改変の効果を得られるのが「高音」に偏り、音のバランスが崩れやすく好ましくないので、径Ｄ≧５ｍｍφとすると良い。
【０１５７】
（実施例６〜１０）
次に、音質改変素子１１０を「一端接続」の形態に接続する、実施形態５のシステム１２１（図７Ａ参照）において、素子ブロック部１１２の径Ｄ及び長さＬを変化させた実施例６〜１０の結果からは、以下が判る（表２参照）。即ち、素子ブロック部１１２の径Ｄを大きくするほど、「高音」（中音域、中高音域）において、一音一音がくっきりと強調される音質改変の程度が増大する。しかも、「高音」における音質改変の程度は、「直列接続」の場合（実施例１−４，２〜５）に比しても良好である。一方、「低音」（重低音域、低音域）についても、素子ブロック部１１２の径Ｄが大きいほど、一音一音がくっきりと強調される音質改変の程度が増大する。但し、「高音」ほどには、径Ｄを大きいほど効果の増大が得られない傾向がある。また、「直列接続」の場合（実施例１−４，２〜５）に比しても、音質改変の程度は相対的に低い。但し、高音・低音のバランスの取れた音が得られ、臨場感が増す。
【０１５８】
なお、径Ｄ＝２００ｍｍφを超えると、「高音」、「低音」とも、音質改変の程度はほぼ同じとなり、増大が頭打ちとなる（効果が飽和する）ことも判る。一方、径Ｄを大きくすると、音質改変素子１１０の体格も大きくなり、重量も増大するので、径Ｄ≦３００ｍｍφとすれば足りると解される。これらから、「一端接続」の場合（実施例６〜１０）において、最も音質改変の効果が得られるのは、径Ｄ＝２００ｍｍφ（実施例９）であることが判る。
【０１５９】
一方、素子ブロック部１１２の径Ｄが、Ｄ＝５ｍｍを下回る場合には、一音一音がくっきりと強調される音質改変の効果を得られるが「高音」に偏り、音のバランスが崩れやすく好ましくないので、径Ｄ≧５ｍｍφとすると良い。
【０１６０】
（実施例１１〜１５）
次に、音質改変素子２１０を「ループ接続」の形態に接続する、実施形態８のシステム２２１（図１１Ａ参照）において、素子ブロック部１２の径Ｄ及び長さＬを変化させた実施例１１〜１５の結果からは、以下が判る（表３参照）。即ち、素子ブロック部１２の径Ｄを大きくするほど、「高音」（中音域、中高音域）において、一音一音がくっきりと強調される音質改変の程度が増大する。しかも、「高音」における音質改変の程度は、「直列接続」の場合（実施例１−４，２〜５）及び「一端接続」の場合（実施例６〜１０）に比しても良好である。加えて、「低音」（重低音域、低音域）についても、素子ブロック部１２の径Ｄが大きいほど、一音一音がくっきりと強調される音質改変の程度が増大する。しかも、「低音」における音質改変の程度も、「直列接続」の場合（実施例１−４，２〜５）及び「一端接続」の場合（実施例６〜１０）に比して良好である。即ち、「高音」、「低音」とも、この「ループ接続」の場合（実施例１１〜１５）には、「直列接続」及び「一端接続」の場合に比して、最も良好である。しかも、高音・低音のバランスの取れた音が得られ、臨場感が得られる。
【０１６１】
なお、径Ｄ＝２００ｍｍφを超えると、「高音」、「低音」とも、音質改変の程度はほぼ同じとなり、増大が頭打ちとなる（効果が飽和する）ことも判る。一方、径Ｄを大きくすると、音質改変素子１１０の体格も大きくなり、重量も増大するので、径Ｄ≦３００ｍｍφとすれば足りると解される。これらから、「ループ接続」の場合（実施例１１〜１５）において、最も音質改変の効果が得られるのは、径Ｄ＝２００ｍｍφ（実施例１４）であることが判る。
【０１６２】
一方、素子ブロック部１２の径Ｄが、Ｄ＝５ｍｍを下回る場合には、一音一音がくっきりと強調される音質改変の効果を得られるが「高音」に偏り、音のバランスが崩れやすく好ましくないので、径Ｄ≧５ｍｍφとすると良い。
【０１６３】
以上から、既に説明したように、実施例１−４，２〜１５の音質改変素子１０Ｂ，１１０，２１０では、素子ブロック部１２，１１２の径Ｄの大きさは、概ね、一音一音がくっきりとして強調される音質改変の効果が現れる音の高さの範囲（音域）の範囲と、効果の程度とに影響することが判る。具体的には、素子ブロック部１２，１１２の径Ｄが１０ｍｍφ（５〜１５ｍｍφ程度）の比較的小径の音質改変素子１０Ｂ，１１０，２１０（実施例１−４，６，１１）では、スピーカシステム４０から再生される楽曲のうち、「高音」（中音域、中高音域）における一音一音がくっきりとして強調されるが、「低音」（重低音域、低音域）については「高音」に比して音質改変の効果の程度が相対的に低い。
しかし、素子ブロック部１２，１１２の径Ｄが５０ｍｍφ（１５〜８０ｍｍφ）の比較的大径の音質改変素子１０Ｂ，１１０，２１０（実施例２，７，１２）では、音質改変の効果が現れる音域が低音側に拡がり、「高音」（中音域、中高音域）のみならず中低音域（１６０〜３２０Ｈｚ）さらには「低音」（低音域、重低音域）においても一音一音がくっきりとして強調されると共に、音質改変の効果の程度も増大する。さらに、素子ブロック部１２，１１２の径Ｄが１００，２００，３００ｍｍφ（８０ｍｍφ以上）のさらに大径の音質改変素子１０Ｂ，１１０，２１０（実施例３〜５，８〜１０，１３〜１５）では、音質改変の効果が現れる音域が低音側に十分に拡がり、「高音」（中音域、中高音域）のみならず「低音」（低音域、重低音域）においても一音一音がくっきりとして強調されると共に、音質改変の効果もさらに増大する。但し、素子ブロック部１２，１１２の径Ｄを２００ｍｍφ超の３００ｍｍφ（実施例５，１０，１５）あるいはこれ以上としても、音質改変素子１０Ｂ，１１０，２１０の体格が大きく、重量が重くなる一方で、音質改変の効果は飽和する（頭打ちとなる）傾向が見られる。したがって、素子ブロック部１２，１１２の径Ｄは３００ｍｍφ以下、好ましくは２００ｍｍφ程度（実施例４，９，１４）とすると良いことが判る。
【０１６４】
一方、素子ブロック部１２，１１２の長さＬは、一音一音がくっきりとして強調される音質改変の程度に影響しており、長さＬが長いほど音質改変の効果が得られることが判る（実施例１−１〜１−４）。以上のように素子ブロック部１２，１１２の径Ｄ及び長さＬの違いにより、音質改変の効果の程度や効果を生じる音域の広さに違いが生じる理由は不明である。しかし、素子ブロック部１２，１１２を流れる音声信号ＳＡや分岐音声信号ＳＢ，ＳＢ１，ＳＢ２が、素子ブロック部１２，１１２において共鳴や反射等するため、素子ブロック部１２，１１２の径Ｄ及び長さＬの違いが、音質改変の効果の程度や効果を生じる音域の広さに影響したと思われる。
【０１６５】
＜音質改変素子（素子本体）の材質の検討＞
（実施例１−４，１６，１７，３２〜３６）
次に、音質改変素子１０Ｂ（素子本体１１）の材質と、音質改変の効果との関係について調査した。具体的には、材質を無酸素銅（ＪＩＳ：Ｃ１０２０）、純アルミニウム（ＪＩＳ：Ａ１０７０）、アルミニウム合金（ＪＩＳ：Ａ５０５２）、ステンレス（ＪＩＳ：ＳＵＳ３０４）とした音質改変素子１０Ｂ（素子本体１１）を形成し、実施例１−４，３２，１６，１７として、図３Ａに示すシステム２１を構成し、前述と同様に評価した。なお、いずれも、素子ブロック部１１２の径Ｄ＝１０ｍｍφ、長さＬ＝４２ｍｍである。
各実施例の結果を表４，表５に示す。
【０１６６】
【表４】
0006945896.tif 000005
【０１６７】
【表５】
0006945896.tif 000006
【０１６８】
Ｄ×Ｌ＝１０ｍｍφ×４２ｍｍの音質改変素子１０Ｂを用いた実施例１−４，３２，１６，１７（表４参照）によれば、いずれの材質の音質改変素子１０Ｂを用いた場合も、これらを用いない基準構成のシステム２に比して、一音一音がくっきりとして強調される音質改変の効果は得られるものの、音質改変素子１０Ｂ（素子本体１１）材質により、音質改変の程度や音質に違いが生じることが判る。即ち、アルミニウム合金を用いた実施例１６では、「高音」の伸びが、無酸素銅あるいは純アルミニウムを用いた実施例１−４，３２に比して劣る。また、ステンレスを用いた実施例１７では、音はくっきりしているが、無酸素銅あるいは純アルミニウムを用いた実施例１−４，３２に比して、「高音」が硬い感じとなる。逆に、無酸素銅あるいは純アルミニウムを用いた実施例１−４，３２はいずれも、実施例１６，１７（アルミニウム合金、ステンレス）に比して、中高音域での音の伸びが良好で、柔らかい音質となり、特に良好であることが判る。
【０１６９】
なお、実施例１−４（無酸素銅）と実施例３２（純アルミニウム）とを比較すると、ほぼ同特性であるが、純アルミニウムの方が、相対的に柔らかく聞きやすいとの評価をしたリスナがおり、純アルミニウムの方がやや評価が良い傾向にある。また、同じＤ×Ｌ＝１０ｍｍφ×４２ｍｍの音質改変素子１１０を用いた実施例６（無酸素銅）と実施例３３（純アルミニウム）との比較、及び、同じＤ×Ｌ＝１０ｍｍφ×４２ｍｍの音質改変素子２１０を用いた実施例１１（無酸素銅）と実施例３４（純アルミニウム）との比較においても、ほぼ同特性である。但し、純アルミニウムの方が、相対的に柔らかく聞きやすいとの評価をしたリスナがおり、純アルミニウムの方がやや評価が良好な傾向にある（表４，表５参照）。
【０１７０】
さらに、Ｄ＝１００ｍｍφの音質改変素子２１０を用いた実施例１３，３５，３６（表５参照）によれば、アルミニウム合金（実施例３６）を用いた場合には、無酸素銅（実施例１３）及び純アルミニウム（実施例３５）に比して、高音が劣るとされた。一方、実施例１３（無酸素層）と実施例３５（純アルミニウム）との比較では、実施例３５の方が高音が伸びてクリアであるとの評価となった。しかし、実施例１３（Ｌ＝１６ｍｍ）と実施例３５（Ｌ＝２２ｍｍ）とでは、同じ径寸法Ｄ（＝１００ｍｍφ）であるが長さＬが異なる。即ち、実施例３５の方が長さＬが３８％も長いことから、実施例１３と実施例３５の特性の違いは、材質の違いよりも長さＬの違いの影響が大きいと解される。この点を差し引いて考えると、Ｄ＝１００ｍｍφの音質改変素子２１０においては、無酸素銅（実施例１３）と純アルミニウム（実施例３５）の材質の違いの特性への影響は少なく、ほぼ同特性と解される。
【０１７１】
以上から、無酸素銅と純アルミニウムとでは、材質の違いの特性への影響は少なく、ほぼ同特性と解されるが、若干、純アルミニウムの方が良好に評価される場合があると考えられる。但し、アルミニウム合金やステンレスに比して、好ましいことは明らかである。以上のように素子ブロック部の材質の違いにより、音質改変の効果の程度や音質に違いが生じる理由は不明である。しかし、無酸素銅と純アルミニウムは導電率が高いことから、材質の相違による導電率の違いが、音質改変の程度や音質に影響したと思われる。
【０１７２】
＜システムにおける音質改変素子の接続形態の検討＞
（実施例１−４，６，１１，１８〜２５）
さらに、音質改変素子１０Ａ，１０Ｂ，１０Ｃ，１１０，２１０の接続形態と、音質改変の効果との関係について調査した。具体的には、実施形態１〜１１（図１，図３Ａ，図４，図５，図７Ａ，図８，図９，図１１Ａ，図１２，図１９，図２０参照）のシステム２０〜２２，１２０〜１２２，２２０〜２２２，４２０，４２１を構成し、前述と同様の評価を行った。なお、いずれも、素子本体１１，１１１の材質は無酸素銅（ＪＩＳ：Ｃ１０２０、メッキ無し、被覆層無し）であり、素子ブロック部１２，１１２の径Ｄ＝１０ｍｍφ、長さＬ＝４２ｍｍである。
各実施例の結果を表６に示す。
【０１７３】
【表６】
0006945896.tif 000007
【０１７４】
（実施形態１〜９）
まず、実施形態１〜３（図１，図３Ａ，図４参照）に対応する実施例１−４，１８，１９の評価を見ると、いずれも同じ評価となっており、音質改変素子１０Ａ，１０Ｂ，１０Ｃを用いる「直列接続」の接続形態では、音質改変素子１０Ａ，１０Ｂ，１０Ｃの接続先が異なっても、音質改変の効果の程度はほぼ同じであることが判る。また、実施形態４〜６（図５，図７Ａ，図８参照）に対応する実施例６，２０，２１の評価を見ても、いずれも同じ評価であり、音質改変素子１１０を用いる「一端接続」の接続形態においても、音質改変素子１１０の接続先が異なっても、音質改変の効果の程度はほぼ同じであることが判る。さらに、実施形態７〜９（図９，図１１Ａ，図１２参照）に対応する実施例１１，２２，２３の評価を見ても、いずれも同じ評価となっており、音質改変素子２１０を用いる「ループ接続」の接続形態においても、音質改変素子２１０の接続先が異なっても、音質改変の効果の程度はほぼ同じであることが判る。
【０１７５】
つまり、本件の音質改変素子１０Ａ等においては、接続先は、アンプ出力端子３１Ｐ，３１Ｎ、スピーカ入力端子４０Ｐ，４０Ｎ、スピーカケーブルの途中部位（１５１ＰＳ，１５１ＮＳ，１５２ＰＡ，１５２ＮＡ）の選択には影響されないことが判る。一方、音質改変素子１０Ａ等の「直列接続」，「一端接続」，「ループ接続」の接続形態の選択、及び、素子ブロック部１２，１１２の寸法(径Ｄ，長さＬ）の選択の影響が大きいことが判る。中でも、同じ寸法（径Ｄ，長さＬ）の素子ブロック部１２，１１２を用いる場合、音質改変素子１０Ａ等の接続形態としては、表６から明らかなように、「ループ接続」の接続形態（実施例１１，２２，２３）とするのが最も好ましい。次には「一端接続」の接続形態（実施例６，２０，２１）とするのが好ましいが、「低音」において「直列接続」の場合よりも劣るので、リスナの好みなどによっては、「直列接続」の接続形態（実施例１−４，１８，１９）とするのも好ましい。
【０１７６】
以上のように、接続形態の違いにより、音質改変の効果の程度や音質に違いが生じる理由は不明である。しかし、「ループ接続」では、アンプ出力端子３１Ｐ，３１Ｎ、スピーカ入力端子４０Ｐ，４０Ｎ、あるいはスピーカケーブル１５１Ｐ，１５１Ｎ，１５２Ｐ，１５２Ｎなどの接続部位に、音質改変素子２１０が接続されている。このため、アンプ回路３１のアンプ出力端子３１Ｐ，３１Ｎから出力された音声信号ＳＡの一部が分岐音声信号ＳＢ１，ＳＢ２として、音質改変素子２１０に向けて分岐し、第１素子端子部１３、素子ブロック部１２、第２素子端子部１４の順に通る経路（あるいはこの逆の第２素子端子部１４、素子ブロック部１２、第１素子端子部１３の順に通る経路）でループ状に流れた後に接続部位に戻る。このような分岐音声信号ＳＢ１，ＳＢ２によって、音質改変素子２１０を用いない場合に比して、スピーカ入力端子４０Ｐ，４０Ｎを通じてスピーカシステム４０（スピーカ４１）に入力される音声信号ＳＳが大きく変化し、スピーカシステム４０で再生された音ＳＤの音質が変化したと考えられる。また、「一端接続」や「直列接続」の接続形態に比して、「ループ接続」の接続形態が好ましいのは、この「ループ接続」の接続形態によるループ状の分岐音声信号ＳＢ１，ＳＢ２の流れが、「一端接続」や「直列接続」の接続形態よりも、スピーカシステム４０に入力される音声信号ＳＳを大きく変化させたためであると考えられる。
【０１７７】
（実施例２２，２４，２５）
次いで、実施形態７，１０，１１（図９，図１９，図２０参照）に対応する実施例２２，２４，２５の評価について検討する。これらのうち、実施形態７（図９参照：実施例２２）のシステム２２０では、アンプ３０の二対のアンプ出力端子３１Ｐ，３１Ｎそれぞれに、音質改変素子２１０（合計４つ）を接続している。これに対し、実施形態１０（図１９参照：実施例２４）のシステム４１０では、アンプ３０の二対のアンプ出力端子３１Ｐ，３１Ｎのうち、＋側のアンプ出力端子３１Ｐにのみ、音質改変素子２１０（合計２つ）を接続している。またこれとは逆に、実施形態１１（図２０参照：実施例２５）のシステム４２１では、アンプ３０の二対のアンプ出力端子３１Ｐ，３１Ｎのうち、−側のアンプ出力端子３１Ｎにのみ、音質改変素子２１０(合計２つ)を接続している。
【０１７８】
このため、実施例２４，２５では、「高音」、「低音」のいずれにおいても、基本形態に比して音質改変の効果を奏するが、実施例２２に比べると、音質改変の程度は劣る。使用している音質改変素子２１０の数が少ないためである。一方、音質改変素子２１０を、＋側のアンプ出力端子３１Ｐ及び−側のアンプ出力端子３１Ｎのいずれに接続した場合でも、同様の特性となることが判る。
【０１７９】
＜音質改変素子（素子ブロック部）のメッキ材質の検討＞
（実施例６，２６〜３１，３３，３７）
次に、音質改変素子１１０の素子本体１１１（図６Ａ参照）の表面全体に被着した金属メッキ層１１１Ｍの材質と、音質改変の効果との関係について調査した。
具体的には、金属メッキ層１１１Ｍを、電解ニッケルメッキ（厚さ５μｍ）、電解ニッケル−クロムメッキ（厚さ５μｍ／０．３μｍ）、電解ニッケル−金メッキ（厚さ２−３μｍ／０．２μｍ）、スズメッキ（厚さ５μｍ）、銀メッキ（厚さ５μｍ）、ユニクロメッキ（亜鉛メッキ光沢クロメート処理：厚さ５μｍ）で形成した音質改変素子１１０（素子本体１１１）を作製し、実施例６，２６〜３１，３３，３７として、実施形態５（図７Ａ参照）の「一端接続」のシステム１２１を構成し、前述と同様に評価した。なお、素子本体１１１の材質は、実施例３３，３７を除き、無酸素銅（ＪＩＳ：Ｃ１０２０）であり、実施例３３，３７は純アルミニウム（ＪＩＳ：Ａ１０７０）である。また、素子ブロック部１１２の寸法は、いずれも、素子ブロック部１１２の径Ｄ＝１０ｍｍφ、長さＬ＝４２ｍｍである。また、実施例６，３３は、素子本体１１１に金属メッキ層１１１Ｍを有しない。各実施例の結果を表７に示す。
【０１８０】
【表７】
0006945896.tif 000008
【０１８１】
電解ニッケルからなる金属メッキ層１１１Ｍを有する音質改変素子１１０を用いた実施例２６，３７では、金属メッキ層１１１Ｍを有しない音質改変素子１１０を用いた実施例６と同じく、音質改変素子１１０を用いない基準構成に比して、「低音」・「高音」とも一音一音がくっきりとする。さらに、金属メッキ層１１１Ｍを有しない音質改変素子１１０を用いた実施例６に比して、「低音」・「高音」のバランスの取れた音ＳＤとなる。
なお、金属メッキ層１１１Ｍの母材となる素子ブロック部１１２の材質（無酸素銅、純アルミニウム）が違っていても、金属メッキ層１１１Ｍの有無や金属メッキ層の材質による音質への影響は同様に生じる傾向にある。
【０１８２】
また、電解ニッケル−クロムメッキからなる金属メッキ層１１１Ｍを有する音質改変素子１１０を用いた実施例２７でも、音質改変素子１１０を用いない基準構成に比して、「低音」・「高音」とも一音一音がくっきりとする。さらに、金属メッキ層１１１Ｍを有しない音質改変素子１１０を用いた実施例６に比して、「低音」・「高音」のバランスの取れた音ＳＤとなる。音質も実施例２６（電解ニッケル）に近いが、「低音」がさらに強調される一方、「高音」が劣る傾向にある。
【０１８３】
電解ニッケル−金メッキからなる金属メッキ層１１１Ｍを有する音質改変素子１１０を用いた実施例２８でも、音質改変素子１１０を用いない基準構成に比して、「低音」・「高音」とも一音一音がくっきりとする。さらに、金属メッキ層１１１Ｍを有しない音質改変素子１１０を用いた実施例６に比して、「低音」・「高音」のバランスの取れた音ＳＤとなる。音質も実施例２６（電解ニッケル）に近いが、「低音」・「高音」ともさらに強調される。金属メッキ層１１１Ｍを設けた他の実施例に比して最も良い評価となった。
【０１８４】
さらに、スズからなる金属メッキ層１１１Ｍを有する音質改変素子１１０を用いた実施例２９でも、音質改変素子１１０を用いない基準構成に比して、「低音」・「高音」とも一音一音がくっきりとする。さらに、金属メッキ層１１１Ｍを有しない音質改変素子１１０を用いた実施例６に比して、「低音」・「高音」のバランスの取れた音ＳＤとなる。但し、実施例２６（電解ニッケル）に比べると、「低音」・「高音」の強調の程度は劣る。しかし、音質としては、実施例６（金属メッキ層なし），実施例２６（電解ニッケル）に比して、「低音」・「高音」とも柔らかい音ＳＤに聞こえる傾向にある。
【０１８５】
さらに、銀からなる金属メッキ層１１１Ｍを有する音質改変素子１１０を用いた実施例３０でも、音質改変素子１１０を用いない基準構成に比して、「低音」・「高音」とも一音一音がくっきりとする。金属メッキ層１１１Ｍを有しない音質改変素子１１０を用いた実施例６に比して、「低音」・「高音」のバランスも取れた音ＳＤとなる。一方、実施例２６（電解ニッケル）に比して、「高音」の強調の程度は劣るが、「低音」は強調されて聞こえる。音質としては、実施例６（金属メッキ層なし），実施例２６（電解ニッケル）に比して、「低音」で柔らかい音ＳＤに聞こえる傾向にある。
【０１８６】
さらに、ユニクロからなる金属メッキ層１１１Ｍを有する音質改変素子１１０を用いた実施例３１でも、音質改変素子１１０を用いない基準構成に比して、「低音」・「高音」とも一音一音がくっきりとする。金属メッキ層１１１Ｍを有しない音質改変素子１１０を用いた実施例６に比して、「低音」・「高音」のバランスも取れた音ＳＤとなる。但し、実施例２６（電解ニッケル）に比べると、「低音」・「高音」の強調の程度は劣る。しかも、音質としては、実施例６（金属メッキ層なし），実施例２６（電解ニッケル）に比して、ざらついた感じの音ＳＤに聞こえるので、評価が低い傾向にある。
【０１８７】
なお、このように素子本体１１１の表面に被着した金属メッキ層１１１Ｍの材質の違いにより、音質改変の程度や音質（音の柔らかさやザラつき感など）に違いが生じる理由は不明である。しかし、金属メッキ層１１１Ｍの材質の相違による、金属メッキ層１１１Ｍを含む素子本体１１１の表面付近における導電率の違いや、金属メッキ層１１１Ｍを構成する金属粒子の大きさや界面状態の相違が、音質改変の程度や音質に影響したと思われる。また、上記実施例２６〜３１，３７では、音質改変素子１１０を「一端接続」した実施形態５のシステム１２１において評価を行ったが、音質改変素子１１０を「一端接続」した実施形態４，６のシステム１２０，１２２においても、また、音質改変素子１０Ａ〜１０Ｃを「直列接続」した実施形態１〜３のシステム２０〜２２、及び、音質改変素子２１０を「ループ接続」した実施形態７〜１１のシステム２２０〜２２２，４２０，４２１においても、各金属メッキ層１１１Ｍ，１１Ｍの材質により、同様の相違が生じる。
【０１８８】
これらの結果から、素子本体１１１，１１の表面に、電解ニッケルメッキ（実施例２６，３７）、電解ニッケル−金メッキ（実施例２８）、電解ニッケル−クロムメッキ（実施例２７）による金属メッキ層１１１Ｍ，１１Ｍを形成した音質改変素子１１０，１０Ａ〜１０Ｃ，２１０を用いた各システムでは、音質改変素子１１０等を用いない場合に比して、「低音」・「高音」とも一音一音くっきりとできるほか、金属メッキ層を有しない音質改変素子１１０等を用いた場合に比して、「低音」・「高音」のバランスも取れた音ＳＤを得ることができる。
【０１８９】
また、素子本体１１１，１１の表面に、スズメッキ（実施例２９）による金属メッキ層１１１Ｍ，１１Ｍを形成した音質改変素子１１０，１０Ａ〜１０Ｃ，２１０を用いた各システムでは、音質改変素子１１０等を用いない場合に比して、「低音」・「高音」とも一音一音くっきりとでき、金属メッキ層を有しない音質改変素子１１０等を用いた場合に比して、「低音」・「高音」のバランスも取れた音ＳＤを得ることができるほか、柔らかい音質の音ＳＤを得ることができる。また、素子本体１１１，１１の表面に、銀メッキ（実施例３０）による金属メッキ層１１１Ｍ，１１Ｍを形成した音質改変素子１１０，１０Ａ〜１０Ｃ，２１０を用いた各システムでは、音質改変素子１１０等を用いない場合に比して、「低音」・「高音」とも一音一音くっきりとでき、金属メッキ層を有しない音質改変素子１１０等を用いた場合に比して、「低音」・「高音」のバランスも取れた音ＳＤを得ることができるほか、「低音」において柔らかい音質の音ＳＤを得ることができる。
【０１９０】
また、金属メッキ層１１１Ｍ，１１Ｍとしては、耐酸化性の金属メッキ層であると良く、例えば、電解ニッケルメッキ層（実施例２６，３７）、電解ニッケル−金メッキ層（実施例２８）、電解ニッケル−クロムメッキ層（実施例２７）、スズメッキ層（実施例３０）、ユニクロメッキ層（実施例３１）であると良い。金属メッキ層１１１Ｍ，１１Ｍの酸化による音質改変素子１１０，１０Ａ〜１０Ｃ，２１０の経時的な特性変化を抑制でき、音質改変素子１１０，１０Ａ〜１０Ｃ，２１０による音質改変の効果を長期に亘り維持することができるからである。一方、金属メッキ層を有さず、酸化しやすい材質（無酸素銅など）の音質改変素子１０Ｂ，１１０等を用いた場合や、金属メッキ層１１１Ｍ，１１Ｍとして、銀メッキ層など耐酸化性の低い（酸化し易い）金属メッキ層を用いる場合には、その表面にさらにエナメルなどの樹脂やガラスからなる絶縁保護層をコーティングするとよい。
【０１９１】
以上において、本発明を実施形態１〜１１，変形形態１〜１４，実施例１〜３７に即して説明したが、本発明は、上記した実施形態等に限定されるものではなく、その要旨を逸脱しない範囲で、適宜変更して適用できることはいうまでもない。前述の実施形態等では、ステレオのオーディオシステム２０等、及びステレオのアンプ３０等を例示した。しかし、モノラルのシステムにおいても、５．１ｃｈサラウンドシステムなど、３つ以上のスピーカシステムを用いるオーディオシステムについても、上述の音質改変素子１０Ａ等を適用したオーディオシステムとすることもできる。また、前述の実施形態等では、スピーカシステム４０等として、スピーカボックス４２等に１つのスピーカ（フルレンジスピーカ）４１を収容してものを示した。しかし、ウーファー、スコーカー、ツィーターなど複数のスピーカ（スピーカユニット）及びネットワーク回路基板（ローパスフィルタ、ハイパスフィルタなどのネットワーク回路を構成した回路基板。図示しない。）を単一のスピーカボックスに収容したマルチウェイスピーカシステムなどに適用することもできる。
【０１９２】
前述の各実施形態では、音質改変素子１０Ａ，１０Ｃ，１１０，２１０，２１０Ａ，２１０Ｂの接続ケーブル１５等の他端部１５Ｔや端子部材２１７に、Ｕ型圧着端子を用いた例を示したが、アンプ出力端子３１Ｐ，３１Ｎ、スピーカ入力端子４０Ｐ，４０Ｎ、スピーカケーブル５０Ｐ，５０Ｎの端部５０ＰＡ等の形態に応じて、Ｏ型圧着端子、バナナプラグなどを用いるほか、ケーブル被覆を除去しむき出したケーブル素線（素線の束）そのもの用いる、半田付けを行うなど適宜の形態や接続方法を採用することができる。
【符号の説明】
【０１９３】
１０Ａ，１０Ｂ，１０Ｃ，１１０，２１０，２１０Ａ，２１０Ｂ  音質改変素子
ＳＬ  防振層
１１，１１１  素子本体
１１Ｓ，１１１Ｓ  （素子本体の）表面
１２，１１２  素子ブロック部
１２Ｓ，１１２Ｓ  （素子ブロック部の）表面
１３，１１３  第１素子端子部
１４  第２素子端子部
１５，１１５，２１５  第１接続ケーブル
１５Ｓ，１１５Ｓ，２１５Ｓ（第１接続ケーブルの）素子側端部（一端部）
１５Ｔ，１１５Ｔ，２１５Ｔ，２１５Ｔ２，２１５Ｔ３（第１接続ケーブルの）他端部
１６，２１６  第２接続ケーブル
１６Ｓ，２１６Ｓ（第２接続ケーブルの）素子側端部（一端部）
１６Ｔ，２１６Ｔ，２１６Ｔ２，２１６Ｔ３（第２接続ケーブルの）他端部
２１７，２１７Ａ，２１７Ｂ  端子部材
２，２０，２１，２１ａ，２２，１２０，１２１，１２１ａ，１２１ｂ，１２２，２２０，２２１，２２１ａ，２２１ｂ，２２１ｃ，２２２，３２０，３２０ａ，３２１，３２２，３２３，３２３ａ，３２４，３２５，４２０，４２１  オーディオシステム
３０  オーディオアンプ
３３０，３３０Ｂ，３３０Ｃ  オーディオアンプ（音質改変素子付きオーディオアンプ装置）
３１  オーディオアンプ回路
３１Ｐ，３１Ｎ  アンプ出力端子
３１ＰＷ，３１ＮＷ  出力路
３１ＰＣ，３１ＮＣ  （出力路内の）接続部位
ＳＡ  （オーディオアンプ回路から出力される）音声信号
ＳＳ，ＳＳａ，ＳＳｂ  （スピーカに入力される）音声信号
ＳＢ，ＳＢ１，ＳＢ２，ＳＢ３，ＳＢ４  分岐音声信号
４０  スピーカシステム
３４０，３４０Ｂ，３４０Ｃ  スピーカシステム（音質改変素子付きスピーカシステム）
４０Ｐ，４０Ｎ  スピーカ入力端子
４０Ｐ０，４０Ｎ０  スピーカ入力内部端子
４０ＰＷ，４０ＮＷ  入力路
４０ＰＣ，４０ＮＣ  （入力路内の）接続部位
４１  スピーカ
ＳＤ，ＳＤａ，ＳＤｂ，ＳＤ０  （スピーカから放射される）音
５０Ｐ，５０Ｎ，１５０Ｐ，１５０Ｎ  スピーカケーブル
５０ＰＡ，５０ＮＡ  （スピーカケーブルの）アンプ側端部（オーディオアンプ回路側の端部）
５０ＰＳ，５０ＮＳ  （スピーカケーブルの）スピーカ側端部（スピーカシステム側の端部）
１５１Ｐ，１５１Ｎ  （オーディオアンプ回路側の）第１スピーカケーブル
１５２Ｐ，１５２Ｎ  （スピーカシステム側の）第２スピーカケーブル
１５１ＰＡ，１５１ＮＡ  （第１スピーカケーブルの）アンプ側端部
１５２ＰＡ，１５２ＮＡ  （第２スピーカケーブルの）アンプ側端部（途中部位）
１５１ＰＳ，１５１ＮＳ  （第１スピーカケーブルの）スピーカ側端部（途中部位）
１５２ＰＳ，１５２ＮＳ  （第２スピーカケーブルの）スピーカ側端部
６０ＰＷ，６０ＮＷ  伝送路
６０ＰＣ，６０ＮＣ  （伝送路内の）接続部位
７０ＰＷ，７０ＮＷ  接続路
ＬＮ  リスナ
ＤＨ  径方向
ＬＨ  長さ方向
Ｄ  径（径方向寸法）
Ｌ  長さ（長さ方向寸法）
【図１】
0006945896.tif 000009
【図２Ａ】
0006945896.tif 000010
【図２Ｂ】
0006945896.tif 000011
【図２Ｃ】
0006945896.tif 000012
【図３Ａ】
0006945896.tif 000013
【図３Ｂ】
0006945896.tif 000014
【図４】
0006945896.tif 000015
【図５】
0006945896.tif 000016
【図６Ａ】
0006945896.tif 000017
【図６Ｂ】
0006945896.tif 000018
【図７Ａ】
0006945896.tif 000019
【図７Ｂ】
0006945896.tif 000020
【図７Ｃ】
0006945896.tif 000021
【図８】
0006945896.tif 000022
【図９】
0006945896.tif 000023
【図１０Ａ】
0006945896.tif 000024
【図１０Ｂ】
0006945896.tif 000025
【図１０Ｃ】
0006945896.tif 000026
【図１１Ａ】
0006945896.tif 000027
【図１１Ｂ】
0006945896.tif 000028
【図１１Ｃ】
0006945896.tif 000029
【図１１Ｄ】
0006945896.tif 000030
【図１２】
0006945896.tif 000031
【図１３Ａ】
0006945896.tif 000032
【図１３Ｂ】
0006945896.tif 000033
【図１４】
0006945896.tif 000034
【図１５】
0006945896.tif 000035
【図１６Ａ】
0006945896.tif 000036
【図１６Ｂ】
0006945896.tif 000037
【図１７】
0006945896.tif 000038
【図１８】
0006945896.tif 000039
【図１９】
0006945896.tif 000040
【図２０】
0006945896.tif 000041
【図２１】
0006945896.tif 000042